(57)【特許請求の範囲】
【請求項１】
第１のユーザ機器（ＵＥ）のワイヤレス通信の方法であって、
第２のＵＥから発見メッセージを受信することと、前記発見メッセージは、前記第２のＵＥの１ホップ近隣ＵＥについての情報を含む、
前記発見メッセージに基づいて第３のＵＥと通信することを決定することと、前記第３のＵＥは、前記第２のＵＥの前記１ホップ近隣ＵＥのうちの１つである、
前記第１のＵＥと前記第３のＵＥとの間での通信のために中継器として動作することを前記第２のＵＥに要求することと、
前記第２のＵＥを通じて前記第３のＵＥと通信することと
を備え、
前記発見メッセージは、前記第２のＵＥによって生成され、一時識別子（ＩＤ）を含み、
前記一時ＩＤのプレフィックス部分は、前記第２のＵＥのグループＩＤと前記第２のＵＥのグループキーＩＤとを含み、
前記一時ＩＤのサフィックス部分は、前記第２のＵＥ自身のＩＤ、前記第２のＵＥの階層情報、および前記第２のＵＥの前記１ホップ近隣ＵＥの階層情報を含む、
方法。
【請求項２】
前記発見メッセージは、前記第２のＵＥの２ホップ近隣ＵＥについての情報をさらに含み、前記方法は、
前記発見メッセージに基づいて第４のＵＥと通信することを決定することと、ここにおいて、前記第４のＵＥは、前記第２のＵＥの前記２ホップ近隣ＵＥのうちの１つであり、前記第３のＵＥの１ホップ近隣ＵＥである、
前記第１のＵＥと前記第４のＵＥとの間での通信のために中継器として動作することを前記第２のＵＥと前記第３のＵＥとに要求することと、
前記第２のＵＥと前記第３のＵＥとを通じて前記第４のＵＥと通信することと
をさらに備える、請求項１に記載の方法。
【請求項３】
前記第１のＵＥは、第１のグループ識別子（ＩＤ）と第１のグループキーＩＤとを有し、前記方法は、
前記第１のグループＩＤと前記第１のグループキーＩＤとに基づいて前記発見メッセージを復号することを試みることと、
前記発見メッセージに含まれる前記第２のＵＥの前記グループＩＤと前記第１のグループＩＤとが同じであり、且つ前記発見メッセージに含まれる前記第２のＵＥの前記グループキーＩＤと前記第１のグループキーＩＤとが同じであるときに、前記復号された発見メッセージに基づいて前記１ホップ近隣ＵＥを決定することと
をさらに備える、請求項１に記載の方法。
【請求項４】
前記第１のグループＩＤは、第１のレイヤ２グループＩＤであり、前記第１のグループキーＩＤは、第１の近接サービスグループキーＩＤ（ＰＧＫ ＩＤ）である、請求項３に記載の方法。
【請求項５】
前記プレフィックス部分と前記サフィックス部分とは、ハッシュ関数、前記第２のＵＥの前記グループＩＤ、および前記第２のＵＥの前記グループキーＩＤに基づいて符号化される、請求項３に記載の方法。
【請求項６】
前記発見メッセージ中に示された前記第２のＵＥと前記１ホップ近隣ＵＥとの階層情報に基づいて、フロアアービトレータＵＥとして前記第２のＵＥと前記第２のＵＥの前記１ホップ近隣ＵＥとのうちの１つを選択することと、
前記フロアアービトレータＵＥにフロア要求を送ることと、
前記フロア要求に応答して前記フロアアービトレータＵＥからフロア応答を受信することと、
前記フロア応答に基づいて前記第２のＵＥの前記１ホップ近隣ＵＥのうちの１つまたは複数および前記第２のＵＥと通信することと
をさらに備える、請求項１に記載の方法。
【請求項７】
前記フロアアービトレータＵＥは、前記階層情報に基づいて前記発見メッセージ中に示された、前記第２のＵＥと前記１ホップ近隣ＵＥとの中での最も高い階層値を有する、請求項６に記載の方法。
【請求項８】
前記第３のＵＥが前記フロアアービトレータＵＥとして選択される場合、前記第２のＵＥは、前記第１のＵＥと前記第３のＵＥとの間での前記フロア要求および前記フロア応答の通信のために中継器として動作する、請求項６に記載の方法。
【請求項９】
前記フロアアービトレータＵＥがもはや利用可能でないと決定することと、
前記第２のＵＥおよび１ホップ近隣ＵＥの前記階層情報に基づいて、後続のフロアアービトレータＵＥとして前記第２のＵＥと前記第２のＵＥの前記１ホップ近隣ＵＥとのうちの別のＵＥを選択することと
をさらに備える、請求項６に記載の方法。
【請求項１０】
後続のフロアアービトレータとしての前記第２のＵＥと前記第２のＵＥの前記１ホップ近隣ＵＥとのうちの前記別のＵＥは、フロア制御リストに基づいて前記後続のフロアアービトレータとして選択され、前記フロア制御リストは、フロア制御プロシージャの状態を含む、請求項９に記載の方法。
【請求項１１】
第１のユーザ機器（ＵＥ）のためのワイヤレス通信の方法であって、
前記第１のＵＥの１ホップ近隣ＵＥについての情報を含む発見メッセージを生成することと、
第２のＵＥに前記発見メッセージを送信することと、
前記第２のＵＥと第３のＵＥとの間での通信のために中継器として動作することを求める要求を前記第２のＵＥから受信することと、前記第３のＵＥは、前記第１のＵＥの前記１ホップ近隣ＵＥのうちの１つである、
前記要求に基づいて前記第２のＵＥと前記第３のＵＥとの間での通信のために中継機能を遂行することと
を備え、
前記発見メッセージは、一時識別子（ＩＤ）を含み、
前記一時ＩＤのプレフィックス部分は、前記第１のＵＥのグループＩＤと前記第１のＵＥのグループキーＩＤとを含み、
前記一時ＩＤのサフィックス部分は、前記第１のＵＥ自身のＩＤ、前記第１のＵＥの階層情報、および前記第１のＵＥの前記１ホップ近隣ＵＥの階層情報を含む、
方法。
【請求項１２】
前記発見メッセージを前記生成することは、
前記発見メッセージ中に含まれている前記グループＩＤと前記グループキーＩＤとにハッシュ関数を適用することによって前記発見メッセージを符号化すること
を備え、前記グループＩＤと前記グループキーＩＤとは、前記第１のＵＥと同じグループ中にあるＵＥに知られている、請求項１１に記載の方法。
【請求項１３】
ワイヤレス通信のための装置であって、前記装置は、第１のユーザ機器（ＵＥ）であり、
第２のＵＥから発見メッセージを受信するための手段と、前記発見メッセージは、前記第２のＵＥの１ホップ近隣ＵＥについての情報を含む、
前記発見メッセージに基づいて第３のＵＥと通信することを決定するための手段と、前記第３のＵＥは、前記第２のＵＥの前記１ホップ近隣ＵＥのうちの１つである、
前記第１のＵＥと前記第３のＵＥとの間での通信のために中継器として動作することを前記第２のＵＥに要求するための手段と、
前記第２のＵＥを通じて前記第３のＵＥと通信する手段と
を備え、
前記発見メッセージは、前記第２のＵＥによって生成され、一時識別子（ＩＤ）を含み、
前記一時ＩＤのプレフィックス部分は、前記第２のＵＥのグループＩＤと前記第２のＵＥのグループキーＩＤとを含み、
前記一時ＩＤのサフィックス部分は、前記第２のＵＥ自身のＩＤ、前記第２のＵＥの階層情報、および前記第２のＵＥの前記１ホップ近隣ＵＥの階層情報を含む、
装置。
【請求項１４】
ワイヤレス通信のための装置であって、前記装置は、第１のユーザ機器（ＵＥ）であり、
前記第１のＵＥの１ホップ近隣ＵＥについての情報を含む発見メッセージを生成するための手段と、
第２のＵＥに前記発見メッセージを送信するための手段と、
前記第２のＵＥと第３のＵＥとの間での通信のために中継器として動作することを求める要求を前記第２のＵＥから受信するための手段と、前記第３のＵＥは、前記第１のＵＥの前記１ホップ近隣ＵＥのうちの１つである、
前記要求に基づいて前記第２のＵＥと前記第３のＵＥとの間での通信のために中継機能を遂行するための手段と
を備え、
前記発見メッセージは、一時識別子（ＩＤ）を含み、
前記一時ＩＤのプレフィックス部分は、前記第１のＵＥのグループＩＤと前記第１のＵＥのグループキーＩＤとを含み、
前記一時ＩＤのサフィックス部分は、前記第１のＵＥ自身のＩＤ、前記第１のＵＥの階層情報、および前記第１のＵＥの前記１ホップ近隣ＵＥの階層情報を含む、
装置。
【請求項１５】
実行されると、請求項１〜請求項１２のうちのいずれか一項に記載の方法をコンピュータに実行させる命令を備える、コンピュータプログラム。
【発明の詳細な説明】
【関連出願の相互参照】
【０００１】
[0001]本願は、「UE-to-UE Relay List and Determination of Floor Arbitrator」と題され、２０１５年４月３日に出願された米国仮特許出願第６２／１４２，６８６号、および「UE-TO-UE RELAY LIST AND DETERMINATION OF FLOOR ARBITRATOR」と題され、２０１６年３月３日に出願された米国特許出願第１５／０６０，２３７号の利益を主張し、それらは、その全体がここに参照によって明確に組み込まれる。
【技術分野】
【０００２】
[0002]本開示は概して、通信システムに関し、より具体的には、デバイス発見およびフロア制御に関する。
【背景技術】
【０００３】
[0003]ワイヤレス通信システムは、電話通信、映像、データ、メッセージング、およびブロードキャストのような様々な電気通信サービスを提供するために広く展開されている。典型的なワイヤレス通信システムは、利用可能なシステムリソースを共有することによって複数のユーザとの通信をサポートすることが可能な多元接続技術を用いうる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが、都市、国家、地域、さらには地球規模で通信することを可能にする共通プロトコルを提供するために、様々な電気通信規格において採用されてきた。実例的な電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張セットである。ＬＴＥは、改善されたスペクトル効率と、下げられたコストと、ダウンリンク上でＯＦＤＭＡを、アップリンク上でＳＣ−ＦＤＭＡを、そして多入力多出力（ＭＩＭＯ）アンテナ技術を使用する改善されたサービスとを通じてモバイルブロードバンドアクセスをサポートするように設計されている。しかしながら、モバイルブロードバンドアクセスに対する需要が増大し続けるにつれて、ＬＴＥ技術におけるさらなる改善の必要性が存在する。これらの改善はまた、これらの技術を用いる電気通信規格および他の多元接続技術に適用可能でありうる。
【０００５】
[0005]ワイヤレス通信では、ユーザ機器は、互いと通信するように構成されうる。しかしながら、ユーザ機器間での効率的な通信を妨げる様々な制限が存在しうる。したがって、そのような制限を低減または除去するための改善が所望される。
【発明の概要】
【０００６】
[0006]以下は、１つまたは複数の態様の基本的な理解を提供するために、そのような態様の簡略化された概要を提示する。この概要は、全ての企図された態様の広範な概観ではなく、全ての態様の基幹的要素または重要な要素を識別することも、任意の態様または全ての態様の範囲を叙述することも意図されない。その唯一の目的は、後に提示されるより詳細な説明への前置きとして、簡略化された形態で１つまたは複数の態様のいくつかの概念を提示することである。
【０００７】
[0007]ユーザ機器（ＵＥ）は、他のＵＥ（例えば、近隣ＵＥ）と通信しうる。しかしながら、ＵＥがＵＥの近隣ＵＥの近隣ＵＥと通信することを試みる場合、ＵＥは、通信に伴う困難を経験しうる。したがって、ＵＥとＵＥの近隣ＵＥの近隣ＵＥとの間での通信のために中継器としてＵＥの近隣ＵＥを利用することによって、ＵＥがＵＥの近隣ＵＥの近隣ＵＥと通信しうるメカニズムを提供することが望まれうる。
【０００８】
[0008]本開示のある態様では、方法、コンピュータプログラム製品、および装置が提供される。装置は、第１のユーザ装置（ＵＥ）でありうる。第１のＵＥは、第２のＵＥから発見メッセージを受信し、発見メッセージは、第２のＵＥの１ホップ近隣ＵＥ（1-hop neighbor UEs）についての情報を含む。第１のＵＥは、発見メッセージに基づいて第３のＵＥと通信することを決定し、第３のＵＥは、第２のＵＥの１ホップ近隣ＵＥのうちの１つである。第１のＵＥは、第１のＵＥと第３のＵＥとの間での通信のために中継器として動作することを第２のＵＥに要求する。第１のＵＥは、第２のＵＥを通じて第３のＵＥと通信する。
【０００９】
[0009]ある態様では、装置は、第１のＵＥでありうる。第１のＵＥは、第２のＵＥから発見メッセージを受信するための手段を含み、発見メッセージは、第２のＵＥの１ホップ近隣ＵＥについての情報を含む。第１のＵＥは、発見メッセージに基づいて第３のＵＥと通信することを決定するための手段を含み、第３のＵＥは、第２のＵＥの１ホップ近隣ＵＥのうちの１つである。第１のＵＥは、第１のＵＥと第３のＵＥとの間での通信のために中継器として動作することを第２のＵＥに要求するための手段を含む。第１のＵＥは、第２のＵＥを通じて第３のＵＥと通信するための手段を含む。
【００１０】
[0010]ある態様では、装置は、メモリとメモリに結合された少なくとも１つのプロセッサと含む第１のＵＥでありうる。少なくとも１つのプロセッサは、第２のＵＥから発見メッセージを受信することと、発見メッセージは、第２のＵＥの１ホップ近隣ＵＥについての情報を含み、発見メッセージに基づいて第３のＵＥと通信することを決定することと、第３のＵＥは、第２のＵＥの１ホップ近隣ＵＥのうちの１つであり、第１のＵＥと第３のＵＥとの間での通信のために中継器として動作することを第２のＵＥに要求することと、第２のＵＥを通じて第３のＵＥと通信することとを行うように構成される。
【００１１】
[0011]ある態様では、第１のＵＥのためのコンピュータ実行可能コードを記憶するコンピュータ可読媒体は、第２のＵＥから発見メッセージを受信することと、発見メッセージは、第２のＵＥの１ホップ近隣ＵＥについての情報を含み、発見メッセージに基づいて第３のＵＥと通信することを決定することと、第３のＵＥは、第２のＵＥの１ホップ近隣ＵＥのうちの１つであり、第１のＵＥと第３のＵＥとの間での通信のために中継器として動作することを第２のＵＥに要求することと、第２のＵＥを通じて第３のＵＥと通信することとを行うためのコードを含む。
【００１２】
[0012]本開示の別の態様では、方法、コンピュータプログラム製品、および装置が提供される。装置は、第１のユーザ装置（ＵＥ）でありうる。第１のＵＥは、第１のＵＥの１ホップ近隣ＵＥについての情報を含む発見メッセージを生成する。第１のＵＥは、第２のＵＥに発見メッセージを送信する。第１のＵＥは、第１のＵＥと第３のＵＥとの間での通信のために中継器として動作することを求める要求を第２のＵＥから受信し、第３のＵＥは、第１のＵＥの１ホップ近隣ＵＥのうちの１つである。第１のＵＥは、要求に基づいて第１のＵＥと第３のＵＥとの間での通信のために中継機能を遂行する。
【００１３】
[0013]ある態様では、装置は、第１のＵＥでありうる。第１のＵＥは、第１のＵＥの１ホップ近隣ＵＥについての情報を含む発見メッセージを生成するための手段を含む。第１のＵＥは、第２のＵＥに発見メッセージを送信するための手段を含む。第１のＵＥは、第１のＵＥと第３のＵＥとの間での通信のために中継器として動作することを求める要求を第２のＵＥから受信するための手段を含み、第３のＵＥは、第１のＵＥの１ホップ近隣ＵＥのうちの１つである。第１のＵＥは、要求に基づいて第１のＵＥと第３のＵＥとの間での通信のために中継機能を遂行するための手段を含む。
【００１４】
[0014]ある態様では、装置は、メモリとメモリに結合された少なくとも１つのプロセッサと含む第１のＵＥでありうる。少なくとも１つのプロセッサは、第１のＵＥの１ホップ近隣ＵＥについての情報を含む発見メッセージを生成することと、第２のＵＥに発見メッセージを送信することと、第１のＵＥと第３のＵＥとの間での通信のために中継器として動作することを求める要求を第２のＵＥから受信することと、第３のＵＥは、第１のＵＥの１ホップ近隣ＵＥのうちの１つであり、要求に基づいて第１のＵＥと第３のＵＥとの間での通信のために中継機能を遂行することとを行うように構成される。
【００１５】
[0015]ある態様では、第１のＵＥのためのコンピュータ実行可能コードを記憶するコンピュータ可読媒体は、第１のＵＥの１ホップ近隣ＵＥについての情報を含む発見メッセージを生成することと、第２のＵＥに発見メッセージを送信することと、第１のＵＥと第３のＵＥとの間での通信のために中継器として動作することを求める要求を第２のＵＥから受信することと、第３のＵＥは、第１のＵＥの１ホップ近隣ＵＥのうちの１つであり、要求に基づいて第１のＵＥと第３のＵＥとの間での通信のために中継機能を遂行することとを行うためのコードを含む。
【００１６】
[0016]前述の目的および関連する目的の達成のために、１つまたは複数の態様は、以下において十分に説明され、特許請求の範囲中で特に指摘される特徴を備える。以下の説明および付属の図面は、１つまたは複数の態様のある特定の例示的な特徴を詳細に記載する。これらの特徴は、しかしながら、様々な態様の原理が用いられうる様々な方法のうちのほんの一部を示しており、この説明は、全てのそのような態様およびそれらの同等物を含むように意図される。
【図面の簡単な説明】
【００１７】
【図１】ワイヤレス通信システムおよびアクセスネットワークの例を例示する図である。
【図２Ａ】ＤＬフレーム構造のＬＴＥ例を例示する図である。
【図２Ｂ】ＤＬフレーム構造内のＤＬチャネルのＬＴＥ例を例示する図である。
【図２Ｃ】ＵＬフレーム構造のＬＴＥ例を例示する図である。
【図２Ｄ】ＵＬフレーム構造内のＵＬチャネルのＬＴＥ例を例示する図である。
【図３】アクセスネットワーク中の発展型ノードＢ（ｅＮＢ）とユーザ機器（ＵＥ）との例を例示する図である。
【図４】デバイスツーデバイス通信システムの図である。
【図５】発見メッセージの構造を例示する実例的な図である。
【図６】本開示のある態様にしたがった、告知済一時ＩＤ（announced temporary ID）の生成を例示する実例的な図である。
【図７】本開示のある態様にしたがった、他のユーザ機器と通信するユーザ機器を例示する実例的な図である。
【図８Ａ】全部のメンバに可視性があるケースを例示する実例的な図である。
【図８Ｂ】全部のメンバに可視性があるケースを例示する実例的な図である。
【図８Ｃ】全部のメンバに可視性があるケースを例示する実例的な図である。
【図９Ａ】一部のメンバに可視性があるケースを例示する実例的な図である。
【図９Ｂ】一部のメンバに可視性があるケースを例示する実例的な図である。
【図９Ｃ】一部のメンバに可視性があるケースを例示する実例的な図である。
【図１０Ａ】限られたメンバに可視性があるケースを例示する実例的な図である。
【図１０Ｂ】限られたメンバに可視性があるケースを例示する実例的な図である。
【図１０Ｃ】限られたメンバに可視性があるケースを例示する実例的な図である。
【図１１】フロア制御のためのパケットの構造を例示する実例的な図である。
【図１２】フロア制御シグナリングを例示する実例的なフロー図である。
【図１３】ランクベースのフロアアービトレーション（floor arbitration）を例示する実例的なフロー図である。
【図１４】本開示のある態様にしたがった、ワイヤレス通信の方法のフローチャートである。
【図１５Ａ】図１４のフローチャートから展開した、ワイヤレス通信の方法のフローチャートである。
【図１５Ｂ】図１４のフローチャートから展開した、ワイヤレス通信の方法のフローチャートである。
【図１６】本開示のある態様にしたがった、ワイヤレス通信の方法のフローチャートである。
【図１７Ａ】図１６のフローチャートから展開した、ワイヤレス通信の方法のフローチャートである。
【図１７Ｂ】図１６のフローチャートから展開した、ワイヤレス通信の方法のフローチャートである。
【図１８】例証的な装置中の異なる手段／コンポーネント間でのデータフローを例示する概念的なデータフロー図である。
【図１９】処理システムを用いる装置のためのハードウェアインプリメンテーションの例を例示する図である。
【詳細な説明】
【００１８】
[0038]添付された図面に関連して以下に記載される詳細な説明は、様々な構成の説明として意図され、ここに説明される概念が実施されうる唯一の構成を表すようには意図されない。詳細な説明は、様々な概念の完全な理解を提供することを目的とした特定の詳細を含む。しかしながら、これらの概念がこれらの特定の詳細なしに実施されうることは当業者にとって明らかであろう。いくつかの事例では、よく知られている構造およびコンポーネントは、そのような概念を曖昧にすることを避けるために、ブロック図形式で示される。
【００１９】
[0039]ここで、電気通信システムのいくつかの態様が様々な装置および方法を参照して提示されることになる。これらの装置および方法は、以下の詳細な説明中で説明され、添付の図面中で、様々なブロック、コンポーネント、回路、処理、アルゴリズム、等（一括して「要素」と呼ばれる）によって例示されることになる。これらの要素は、電子ハードウェア、コンピュータソフトウェア、またはそれらの任意の組み合わせを使用してインプリメントされうる。そのような要素がハードウェアとしてインプリメントされるか、またはソフトウェアとしてインプリメントされるかは、特定のアプリケーションおよびシステム全体上に課せられる設計制約に依存する。
【００２０】
[0040]例として、要素、または要素の任意の一部、あるいは要素の任意の組み合わせは、１つまたは複数のプロセッサを含む「処理システム」としてインプリメントされうる。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、離散ハードウェア回路、およびこの開示全体を通じて説明される様々な機能を遂行するように構成された他の適したハードウェアを含む。処理システム中の１つまたは複数のプロセッサは、ソフトウェアを実行しうる。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、またはその他の名称で呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【００２１】
[0041]それ故に、１つまたは複数の実例的な実施形態では、説明される機能は、ハードウェア、ソフトウェア、またはそれらの任意の組み合わせ中でインプリメントされうる。ソフトウェア中でインプリメントされる場合、機能は、コンピュータ可読媒体上の１つまたは複数の命令あるいはコードとして記憶もしくは符号化されうる。コンピュータ可読媒体は、コンピュータ記憶媒体を含む。記憶媒体は、コンピュータによってアクセスされることができる任意の利用可能な媒体でありうる。限定ではなく例として、そのようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、前述されたタイプのコンピュータ可読媒体の組み合わせ、またはコンピュータによってアクセスされることができるデータ構造あるいは命令の形式でコンピュータ実行可能コードを記憶するために使用されることができる任意の他の媒体を備えることができる。
【００２２】
[0042]図１は、ワイヤレス通信システムおよびアクセスネットワーク１００の例を例示する図である。（ワイヤレスワイドエリアネットワーク（ＷＷＡＮ）とも呼ばれる）ワイヤレス通信システムは、基地局１０２、ＵＥ１０４、および発展型パケットコア（ＥＰＣ）１６０を含む。基地局１０２は、マクロセル（高電力セルラ基地局）および／またはスモールセル（低電力セルラ基地局）を含みうる。マクロセルは、ｅＮＢを含む。スモールセルは、フェムトセル、ピコセル、およびマイクロセルを含む。
【００２３】
[0043]（一括して発展型ユニバーサルモバイル電気通信システム（ＵＭＴＳ）地上無線アクセスネットワーク（Ｅ−ＵＴＲＡＮ）と呼ばれる）基地局１０２は、バックホールリンク１３２（例えば、Ｓ１インターフェース）を通じてＥＰＣ１６０とインターフェースする。他の機能に加えて、基地局１０２は、以下の機能：ユーザデータの転送、無線チャネル暗号化および暗号解読、完全性保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ）メッセージについての分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、測位、および警告メッセージの配信のうちの１つまたは複数を遂行しうる。基地局１０２は、バックホールリンク１３４（例えば、Ｘ２インターフェース）を通して互いと（例えば、ＥＰＣ１６０を通じて）直接的にまたは間接的に通信しうる。バックホールリンク１３４は、ワイヤードまたはワイヤレスでありうる。
【００２４】
[0044]基地局１０２は、ＵＥ１０４とワイヤレスで通信しうる。基地局１０２の各々は、それぞれの地理的カバレッジエリア１１０に対して通信カバレッジを提供しうる。重複している地理的カバレッジエリア１１０が存在しうる。例えば、スモールセル１０２’は、１つまたは複数のマクロ基地局１０２のカバレッジエリア１１０と重複するカバレッジエリア１１０’を有しうる。スモールセルとマクロセルとの両方を含むネットワークは、異種ネットワークとして知られうる。異種ネットワークはまた、ホーム発展型ノードＢ（ｅＮＢ）（ＨｅＮＢ）を含みえ、それは、クローズド加入者グループ（ＣＳＧ）として知られる制限されたグループにサービスを提供しうる。基地局１０２とＵＥ１０４との間の通信リンク１２０は、ＵＥ１０４から基地局１０２への（逆方向リンクとも呼ばれる）アップリンク（ＵＬ）送信および／または基地局１０２からＵＥ１０４への（順方向リンクとも呼ばれる）ダウンリンク（ＤＬ）送信を含みうる。通信リンク１２０は、空間多重化、ビームフォーミング、および／または送信ダイバーシティを含むＭＩＭＯアンテナ技術を使用しうる。通信リンクは、１つまたは複数のキャリアを通りうる。基地局１０２／ＵＥ１０４は、各方向での送信のために使用される最大で合計Ｙｘ ＭＨｚ（ｘ個のコンポーネントキャリア）のキャリアアグリゲーションにおいて割り振られるキャリアあたり最大Ｙ ＭＨｚ（例えば、５、１０、１５、２０ＭＨｚ）帯域幅のスペクトルを使用しうる。キャリアは、互いに隣接していることがありうるか、またはしていないことがありうる。キャリアの割り振りは、ＤＬおよびＵＬに対して非対称でありうる（例えば、ＵＬに対してよりも多くのまたは少ないキャリアがＤＬに対して割り振られうる）。コンポーネントキャリアは、１つのプライマリコンポーネントキャリアと１つまたは複数のセカンダリコンポーネントキャリアを含みうる。プライマリコンポーネントキャリアは、プライマリセル（ＰＣｅｌｌ）と呼ばれ、セカンダリコンポーネントキャリアは、セカンダリセル（ＳＣｅｌｌ）と呼ばれうる。
【００２５】
[0045]ワイヤレス通信システムはさらに、５ＧＨｚの無認可周波数スペクトル中で通信リンク１５４を介してＷｉ−Ｆｉ局（ＳＴＡ）１５２と通信中のＷｉ−Ｆｉアクセスポイント（ＡＰ）１５０を含みうる。無認可周波数スペクトル中で通信するとき、ＳＴＡ１５２／ＡＰ１５０は、チャネルが利用可能かどうかを決定するために、通信するより前にクリアチャネル評価（ＣＣＡ）を遂行しうる。
【００２６】
[0046]スモールセル１０２’は、認可済および／または無認可周波数スペクトル中で動作しうる。無認可周波数スペクトル中で動作するとき、スモールセル１０２’は、ＬＴＥを用い、Ｗｉ−Ｆｉ ＡＰ１５０によって使用されたのと同じ５ＧＨｚの無認可周波数スペクトルを使用しうる。無認可周波数スペクトル中でＬＴＥを用いるスモールセル１０２’は、アクセスネットワークに対するカバレッジを強化および／またはアクセスネットワークの容量を増大させうる。無認可スペクトル中のＬＴＥは、ＬＴＥ−ｕｎｌｉｃｅｎｓｅｄ（ＬＴＥ−Ｕ）、認可済支援アクセス（ＬＡＡ：licensed assisted access）、またはＭｕＬＴＥｆｉｒｅと呼ばれうる。
【００２７】
[0047]ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ）１７０、およびパケットデータネットワーク（ＰＤＮ）ゲートウェイ１７２を含みうる。ＭＭＥ１６２は、ホーム加入者サーバ（ＨＳＳ）１７４と通信中でありうる。ＭＭＥ１６２は、ＵＥ１０４とＥＰＣ１６０との間でのシグナリングを処理する制御ノードである。概して、ＭＭＥ１６２は、ベアラおよび接続管理を提供する。全てのユーザインターネットプロトコル（ＩＰ）パケットは、サービングゲートウェイ１６６を通じて転送され、それ自体は、ＰＤＮゲートウェイ１７２に接続される。ＰＤＮゲートウェイ１７２は、ＵＥ ＩＰアドレス割り振り、ならびに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含みうる。ＢＭ−ＳＣ１７０は、ＭＢＭＳユーザサービスプロビジョニングおよび配信のための機能を提供しうる。ＢＭ−ＳＣ１７０は、コンテンツプロバイダＭＢＭＳ送信用のエントリポイントとしての役割を果たし、公衆陸上モバイルネットワーク（ＰＬＭＮ：public land mobile network）内のＭＢＭＳベアラサービスを認可および開始するために使用され、ＭＢＭＳ送信をスケジュールするために使用されうる。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され、セッション管理（開始／停止）およびｅＭＢＭＳに関連する課金情報（charging information）を収集することを担いうる。
【００２８】
[0048]基地局はまた、ノードＢ、発展型ノードＢ（ｅＮＢ）、アクセスポイント、ベーストランシーバ局、無線基地局、無線トランシーバ、トランシーバ機能、基本サービスセット（ＢＳＳ）、拡張サービスセット（ＥＳＳ）、または何らかの他の適した専門用語で呼ばれうる。基地局１０２は、ＵＥ１０４に対してＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、タブレット、スマートデバイス、ウェアラブルデバイス、または任意の他の同様の機能的なデバイスを含む。ＵＥ１０４はまた、局、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適した専門用語で呼ばれうる。
【００２９】
[0049]図１を再び参照すると、ある特定の態様では、ＵＥ１０４は、互いと通信するように構成されえ、ここで、ある１つのＵＥは、近隣ＵＥの近隣ＵＥと通信するために、中継器として近隣ＵＥを利用しうる（１９８）。
【００３０】
[0050]図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。他のワイヤレス通信技術は、異なるフレーム構造および／または異なるチャネルを有しうる。ＬＴＥでは、フレーム（１０ｍｓ）は、１０個の等しいサイズのサブフレームに分割されうる。各サブフレームは、２つの連続したタイムスロットを含みうる。２つのタイムスロットを表すためにリソースグリッドが使用されえ、各タイムスロットは、（物理ＲＢ（ＰＲＢ）とも呼ばれる）１つまたは複数の時間同時並行（time concurrent）のリソースブロック（ＲＢ）を含む。リソースグリッドは、複数のリソース要素（ＲＥ）に分割される。ＬＴＥでは、通常のサイクリックプレフィックスの場合、ＲＢは、周波数ドメイン中に１２個の連続したサブキャリアを、時間ドメイン中に７つの連続したシンボルを（ＤＬの場合、ＯＦＤＭシンボルを；ＵＬの場合、ＳＣ−ＦＤＭＡシンボルを）含み、合計で８４個のＲＥとなる。拡張されたサイクリックプレフィックスの場合、ＲＢは、周波数ドメイン中に１２個の連続したサブキャリアを、時間ドメイン中に６つの連続したシンボルを含み、合計で７２個のＲＥとなる。各ＲＥによって搬送されるビットの数は、変調スキームに依存する。
【００３１】
[0051]図２Ａ中に例示されているように、ＲＥのうちのいくつかは、ＵＥにおけるチャネル推定用のＤＬ基準（パイロット）信号（ＤＬ−ＲＳ）を搬送する。ＤＬ−ＲＳは、（共通ＲＳと呼ばれることもある）セル固有基準信号（ＣＲＳ）、ＵＥ固有基準信号（ＵＥ−ＲＳ）、およびチャネル状態情報基準信号（ＣＳＩ−ＲＳ）を含みうる。図２Ａは、（それぞれ、Ｒ0、Ｒ1、Ｒ2、およびＲ3と示されている）アンテナポート０、１、２、および３に対するＣＲＳ、（Ｒ5と示されている）アンテナポート５に対するＵＥ−ＲＳ、および（Ｒと示されている）アンテナポート１５に対するＣＳＩ−ＲＳを例示している。図２Ｂは、フレームのＤＬサブフレーム内の様々なチャネルの例を例示している。物理制御フォーマットインジケータチャネル（ＰＣＦＩＣＨ）は、スロット０のシンボル０内にあり、物理ダウンリンク制御チャネル（ＰＤＣＣＨ）が１つのシンボルを占有するか、２つのシンボルを占有するか、または３つのシンボルを占有するかを示す制御フォーマットインジケータ（ＣＦＩ）を搬送する（図２Ｂは、３つのシンボルを占有するＰＤＣＣＨを例示している）。ＰＤＣＣＨは、１つまたは複数の制御チャネル要素（ＣＣＥ）内のダウンリンク制御情報（ＤＣＩ）を搬送し、各ＣＣＥは、９つのＲＥグループ（ＲＥＧ）を含み、各ＲＥＧは、ＯＦＤＭシンボル中に４つの連続したＲＥを含む。ＵＥは、これもまたＤＣＩを搬送するＵＥ固有拡張ＰＤＣＣＨ（ｅＰＤＣＣＨ）で構成されうる。ｅＰＤＣＣＨは、２、４、または８つのＲＢペアを有しうる（図２Ｂは、２つのＲＢペアを示しており、各サブセットは、１つのＲＢペアを含む）。物理ハイブリッド自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいてＨＡＲＱ確認応答（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤアイデンティティを決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセルアイデンティティグループ番号を決定するためにＵＥによって使用されるセカンダリ同期信号（ＳＳＳ）を搬送する。物理レイヤアイデンティティおよび物理レイヤセルアイデンティティグループ番号に基づいて、ＵＥは、物理セル識別子（ＰＣＩ）を決定することができる。ＰＣＩに基づいて、ＵＥは、前述されたＤＬ−ＲＳのロケーションを決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅中のＲＢの数、ＰＨＩＣＨ構成、およびシステムフレーム番号（ＳＦＮ）を提供する。物理ダウンリンク共有チャネル（ＰＤＳＣＨ）は、ページングメッセージ、システム情報ブロック（ＳＩＢ）���ようなＰＢＣＨを通じて送信されないブロードキャストシステム情報、およびユーザデータを搬送する。
【００３２】
[0052]図２Ｃ中に例示されているように、ＲＥのうちのいくつかは、ｅＮＢにおけるチャネル推定用の復調基準信号（ＤＬ−ＲＳ）を搬送する。ＵＥは加えて、サブフレームの最後のシンボル中でサウンディング基準信号（ＳＲＳ）を送信しうる。ＳＲＳは、コーム構造（comb structure）を有し、ＵＥは、コームのうちの１つ上でＳＲＳを送信しうる。ＳＲＳは、ＵＬ上での周波数依存スケジューリングを可能にするために、チャネル品質推定用にｅＮＢによって使用されうる。図２Ｄは、フレームのＵＬサブフレーム内の様々なチャネルの例を例示している。物理ランダムアクセスチャネル（ＰＲＡＣＨ）は、ＰＲＡＣＨ構成に基づいてフレーム内の１つまたは複数のサブフレーム内にありうる。ＰＲＡＣＨは、サブフレーム内に６つの連続したＲＢペアを含みうる。ＰＲＡＣＨは、ＵＥが初期システムアクセスを遂行し、ＵＬ同期を達成することを可能にする。物理アップリンク制御チャネル（ＰＵＣＣＨ）は、ＵＬシステム帯域幅の両端上にロケートされ（located）うる。ＰＵＣＣＨは、ＨＡＲＱ ＡＣＫ／ＮＡＣＫフィードバック、ランクインジケータ（ＲＩ）、プリコーディング行列インジケータ（ＰＭＩ）、チャネル品質インジケータ（ＣＱＩ）、およびスケジューリング要求のようなアップリンク制御情報（ＵＣＩ）を搬送する。ＰＵＳＣＨは、データを搬送し、バッファ状態レポート（ＢＳＲ）、電力ヘッドループレポート（ＰＨＲ）、および／またはＵＣＩを搬送するために加えて使用されうる。
【００３３】
[0053]図３は、アクセスネットワーク中でＵＥ３５０と通信中のｅＮＢ３１０のブロック図である。ＤＬでは、ＥＰＣ１６０からのＩＰパケットは、コントローラ／プロセッサ３７５に提供されうる。コントローラ／プロセッサ３７５は、レイヤ３およびレイヤ２の機能をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢ）のブロードキャスティング、ＲＲＣ接続制御（例えば、ＲＲＣ接続ページング、ＲＲＣ接続確立、ＲＲＣ接続修正、およびＲＲＣ接続解放）、無線アクセス技術（ＲＡＴ）間モビリティ、およびＵＥ測定レポーティングのための測定構成に関連付けられたＲＲＣレイヤの機能と、ヘッダ圧縮／解凍、セキュリティ（暗号化、暗号解読、完全性保護、完全性検証）、およびハンドオーバサポート機能に関連付けられたＰＤＣＰレイヤの機能と、上位レイヤパケットデータユニット（ＰＤＵ）の転送、ＡＲＱを通じた誤り訂正、ＲＬＣサービスデータユニット（ＳＤＵ）の連結、セグメント化、およびリアセンブリ、ＲＬＣデータＰＤＵの再セグメント化、およびＲＬＣデータＰＤＵの再順序付けに関連付けられたＲＬＣレイヤの機能と、ロジックチャネルとトランスポートチャネルとの間でのマッピング、トランスポートブロック（ＴＢ）上へのＭＡＣ ＳＤＵの多重化、ＴＢからのＭＡＣ ＳＤＵの逆多重化、スケジューリング情報レポーティング、ＨＡＲＱを通じた誤り訂正、優先度処理（priority handling）、およびロジックチャネル優先順位付けに関連付けられたＭＡＣレイヤの機能とを提供する。
【００３４】
[0054]送信（ＴＸ）プロセッサ３１６および受信（ＲＸ）プロセッサ３７０は、様々な信号処理機能に関連付けられたレイヤ１の機能をインプリメントする。物理（ＰＨＹ）レイヤを含むレイヤ１は、トランスポートチャネル上での誤り検出、トランスポートチャネルの前方誤り訂正（ＦＥＣ）コーディング／復号、インタリービング、レートマッチング、物理チャネル上へのマッピング、物理チャネルの変調／復調、およびＭＩＭＯアンテナ処理を含みうる。ＴＸプロセッサ３１６は、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることを処理する。コーディングおよび変調されたシンボルはその後、並列ストリームに分けられうる。各ストリームはその後、時間ドメインＯＦＤＭシンボルストリームを搬送する物理チャネルを生成するために、ＯＦＤＭサブキャリアにマッピングされ、時間および／または周波数ドメイン中で基準信号（例えば、パイロット）と多重化され、その後、逆高速フーリエ変換（ＩＦＦＴ）を使用してともに組み合わされうる。ＯＦＤＭストリームは、複数の空間ストリームを生成するために空間的にプリコーディングされる。チャネル推定器３７４からのチャネル推定値は、コーディングおよび変調スキームを決定するために、ならびに空間処理のために使用されうる。チャネル推定値は、ＵＥ３５０によって送信されたチャネル条件フィードバックおよび／または基準信号から導出されうる。各空間ストリームはその後、別個の送信機３１８ＴＸを介して異なるアンテナ３２０に提供されうる。各送信機３１８ＴＸは、送信のためにそれぞれの空間ストリームを用いてＲＦキャリアを変調しうる。
【００３５】
[0055]ＵＥ３５０において、各受信機３５４ＲＸは、そのそれぞれのアンテナ３５２を通じて信号を受信する。各受信機３５４ＲＸは、ＲＦキャリア上に変調された情報を復元し、受信（ＲＸ）プロセッサ３５６にその情報を提供する。ＴＸプロセッサ３６８およびＲＸプロセッサ３５６は、様々な信号処理機能に関連付けられたレイヤ１の機能をインプリメントする。ＲＸプロセッサ３５６は、ＵＥ３５０に宛てられた任意の空間ストリームを復元するために、情報に対して空間処理を遂行しうる。複数の空間ストリームがＵＥ３５０に宛てられる場合、それらは、ＲＸプロセッサ３５６によって単一のＯＦＤＭシンボルストリームへと組み合わされうる。ＲＸプロセッサ３５６はその後、高速フーリエ変換（ＦＦＴ）を使用して、ＯＦＤＭシンボルストリームを時間ドメインから周波数ドメインに変換する。周波数ドメイン信号は、ＯＦＤＭ信号のサブキャリアごとに別個のＯＦＤＭシンボルストリームを備える。各サブキャリア上のシンボル、および基準信号は、ｅＮＢ３１０によって送信された最も可能性の高い信号コンステレーションポイントを決定することによって復元および復調される。これらの軟判定は、チャネル推定器３５８によって計算されたチャネル推定値に基づきうる。軟判定はその後、物理チャネル上でｅＮＢ３１０によって当初送信されたデータおよび制御信号を復元するために、復号およびデインターリーブされる。データおよび制御信号はその後、コントローラ／プロセッサ３５９に提供され、それは、レイヤ３およびレイヤ２の機能をインプリメントする。
【００３６】
[0056]コントローラ／プロセッサ３５９は、プログラムコードおよびデータを記憶するメモリ３６０に関連付けられることができる。メモリ３６０は、コンピュータ可読媒体と呼ばれうる。ＵＬでは、コントローラ／プロセッサ３５９は、ＥＰＣ１６０からのＩＰパケットを復元するために、トランスポートチャネルとロジックチャネルとの間での逆多重化、パケットのリアセンブリ、暗号解読、ヘッダの解凍、および制御信号処理を提供する。コントローラ／プロセッサ３５９はまた、ＨＡＲＱ動作をサポートするために、ＡＣＫおよび／またはＮＡＣＫプロトコルを使用する誤り検出を担う。
【００３７】
[0057]ｅＮＢ３１０によるＤＬ送信に関連して説明された機能と同様に、コントローラ／プロセッサ３５９は、システム情報（例えば、ＭＩＢ、ＳＩＢ）獲得、ＲＲＣ接続、および測定レポーティングに関連付けられたＲＲＣレイヤの機能と、ヘッダ圧縮／解凍、およびセキュリティ（暗号化、暗号解読、完全性保護、完全性検証）に関連付けられたＰＤＣＰレイヤの機能と、上位レイヤＰＤＵの転送、ＡＲＱを通じた誤り訂正、ＲＬＣ ＳＤＵの連結、セグメント化、およびリアセンブリ、ＲＬＣデータＰＤＵの再セグメント化、およびＲＬＣデータＰＤＵの再順序付けに関連付けられたＲＬＣレイヤの機能と、ロジックチャネルとトランスポートチャネルとの間でのマッピング、ＴＢ上へのＭＡＣ ＳＤＵの多重化、ＴＢからのＭＡＣ ＳＤＵの逆多重化、スケジューリング情報レポーティング、ＨＡＲＱを通じた誤り訂正、優先度処理、およびロジックチャネル優先順位付けに関連付けられたＭＡＣレイヤの機能とを提供する。
【００３８】
[0058]ｅＮＢ３１０によって送信されたフィードバックまたは基準信号からチャネル推定器３５８によって導出されたチャネル推定値は、適切なコーディングおよび変調スキームを選択することと、空間処理を容易にすることとを行うために、ＴＸプロセッサ３６８によって使用されうる。ＴＸプロセッサ３６８によって生成された空間ストリームは、別個の送信機３５４ＴＸを介して異なるアンテナ３５２に提供されうる。各送信機３５４ＴＸは、送信のためにそれぞれの空間ストリームを用いてＲＦキャリアを変調しうる。
【００３９】
[0059]ＵＬ送信は、ＵＥ３５０における受信機機能に関連して説明されたのと同様の方法でｅＮＢ３１０において処理される。各受信機３１８ＲＸは、そのそれぞれのアンテナ３２０を通じて信号を受信する。各受信機３１８ＲＸは、ＲＦキャリア上に変調された情報を復元し、ＲＸプロセッサ３７０にその情報を提供する。
【００４０】
[0060]コントローラ／プロセッサ３７５は、プログラムコードおよびデータを記憶するメモリ３７６に関連付けられることができる。メモリ３７６は、コンピュータ可読媒体と呼ばれうる。ＵＬでは、コントローラ／プロセッサ３７５は、ＵＥ３５０からのＩＰパケットを復元するために、トランスポートチャネルとロジックチャネルとの間での逆多重化、パケットのリアセンブリ、暗号解読、ヘッダの解凍、制御信号処理を提供する。コントローラ／プロセッサ３７５からのＩＰパケットは、ＥＰＣ１６０に提供されうる。コントローラ／プロセッサ３７５はまた、ＨＡＲＱ動作をサポートするために、ＡＣＫおよび／またはＮＡＣＫプロトコルを使用する誤り検出を担う。
【００４１】
[0061]図４は、デバイスツーデバイス（Ｄ２Ｄ）通信システム４６０の図である。Ｄ２Ｄ通信システム４６０は、複数のＵＥ４６４、４６６、４６８、４７０を含む。Ｄ２Ｄ通信システム４６０は、例えば、ＷＷＡＮのようなセルラ通信システムと重複しうる。ＵＥ４６４、４６６、４６８、４７０の中には、ＤＬ／ＵＬ ＷＷＡＮスペクトルを使用してＤ２Ｄ通信でともに通信しうるものもあれば、基地局４６２と通信しうるものもあり、その両方を行いうるものもある。例えば、図４中に示されているように、ＵＥ４６８、４７０が、Ｄ２Ｄ通信中であり、ＵＥ４６４、４６６が、Ｄ２Ｄ通信中である。ＵＥ４６４、４６６はまた、基地局４６２と通信している。Ｄ２Ｄ通信は、物理サイドリンクブロードキャストチャネル（ＰＳＢＣＨ）、物理サイドリンク発見チャネル（ＰＳＤＣＨ）、物理サイドリンク共有チャネル（ＰＳＳＣＨ）、および物理サイドリンク制御チャネル（ＰＳＣＣＨ）のような１つまたは複数のサイドリンクチャネルを通りうる。
【００４２】
[0062]以下に論述される例証的な方法および装置は、例えば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２.１１規格に基づいたＷｉ−Ｆｉに基づいたワイヤレスデバイスツーデバイス通信システムのような、多様なワイヤレスＤ２Ｄ通信システムのいずれにも適用可能である。論述を簡略化するために、例証的な方法および装置は、ＬＴＥのコンテキスト内で論述される。しかしながら、当業者は、例証的な方法および装置が、多様な他のワイヤレスデバイスツーデバイス通信システムにより一般に適用可能であることを理解するであろう。
【００４３】
[0063]ＵＥは、通信を遂行するための近隣ＵＥを決定するために、近隣ＵＥから受信された発見メッセージを使用しうる。特に、近接サービス（ＰｒｏＳｅ：proximity service）直接発見メッセージが、発見される近隣ＵＥのうちの１つとの直接通信をセットアップするために、近隣ＵＥを発見するためのミッションクリティカルプッシュツートーク（ＭＣＰＴＴ：Mission Critical Push To Talk）通信中で使用されうる。例えば、近隣ＵＥから送られる発見メッセージは、ＵＥが発見メッセージに基づいて近隣ＵＥを発見しうるように、近隣ＵＥについての情報を含みうる。そのような発見メッセージ機能（feature）は、ＵＥがＵＥの近隣ＵＥを発見し、それとの通信を確立することを可能にするが、ＵＥは概して、ＵＥの近隣物の近隣物と通信することができないことがありうる。したがって、特にＵＥがＵＥの近隣物の近隣物と直接通信できないときに、ＵＥがＵＥの近隣物の近隣物と通信することを可能にするアプローチが所望される。
【００４４】
[0064]加えて、ＵＥが互いを発見した後で、ＭＣＰＴＴ通信がオンネットワークまたはオフネットワーク（ピアツーピア）のいずれかで構成されうる。ＰｒｏＳｅ／ＭＣＰＴＴのための発見メカニズムは、ＬＴＥ Ｄｉｒｅｃｔシステム中のデバイスツーデバイス通信システム（例えば、デバイスツーデバイス通信システム４６０）に基づきうる。ＭＣＰＴＴ通信は、互いを発見したＵＥの中で最も高いユーザ階層を有するＵＥに割り当てられるフロアアービトレーション（ＦＡ）に依拠しうる。したがって、ＵＥを発見した後で、ＵＥの階層情報を決定することと、フロアアービトレータ（floor arbitrator）機能を遂行するＵＥを決定することとを行うための効率的なアプローチもまた所望される。
【００４５】
[0065]図５は、発見メッセージの構造を例示する実例的な図５００である。発見メッセージは５１０であり、媒体アクセス制御プロトコルデータユニット（ＭＡＣ ＰＤＵ）５２０中に含まれる。発見メッセージ５１０は、メッセージタイプフィールド５３０と近接サービス（ＰｒｏＳｅ）アプリケーションコードフィールド５４０とを含む。ＰｒｏＳｅアプリケーションコードフィールド５４０は、公衆陸上モバイルネットワークアイデンティティ（ＰＬＭＮ ＩＤ）５５０と告知済一時識別子（ＩＤ）５６０とを含む。ＰＬＭＮ ＩＤは、スコープフィールド、Ｅビットフィールド、スペアビットフィールド、モバイルカントリーコード（ＭＣＣ）、およびモバイルネットワークコード（ＭＮＣ）を含む、４つのフィールドを含む。告知済一時ＩＤ５６０は、プレフィックス部分とサフィックス（suffix）部分とを有する。告知済一時ＩＤ５６０に関する特定の詳細が以下に説明される。
【００４６】
[0066]本開示のある態様にしたがって、送信側ＵＥ（sender UE）によって送られる発見メッセージ中の告知済一時ＩＤは、発見メッセージを送る送信側ＵＥならびに送信側ＵＥの近隣ＵＥ（例えば、１ホップ近隣ＵＥ、２ホップ近隣ＵＥ、等）についての情報を含みうる。このことから、ＵＥが送信側ＵＥの近隣ＵＥを直接発見できない場合であっても、ＵＥは、送信側ＵＥから発見メッセージを受信し、送信側ＵＥからの発見メッセージに基づいて送信側ＵＥの近隣ＵＥを識別しえ、それにより、ＵＥは、中継器として動作する送信側ＵＥ（および任意の中間ＵＥ）を介して送信側ＵＥの近隣ＵＥと通信しうる。例えば、ＵＥは、ＵＥが送信側ＵＥを介して送信側ＵＥの１つまたは複数の近隣ＵＥと通信しうるように、中継器として動作することを送信側ＵＥに要求しうる。発見メッセージ中の告知済一時ＩＤはまた、送信側ＵＥの階層情報ならびに送信側ＵＥの近隣ＵＥの階層情報を含みうる。階層情報がフロアアービトレーションにおいて使用されうることに留意されたい。特に、階層情報は、最も高い階層番号を有するＵＥがフロアアービトレータとして選択されるようにモニタされうる。（例えば、ＵＥ間でのグループ通信中に）フロアアービトレータとして割り当てられたＵＥが利用不可能になる場合、次に最も高い階層番号を有するＵＥがフロアアービトレータとして選択される。（例えば、ＵＥプロファイル中での変化に起因して）ＵＥごとの階層情報がネットワークによって更新されえ、ＵＥがネットワーク上にあるときにネットワークが更新された階層情報を知らせうることにも留意されたい。告知済一時ＩＤ中の情報は、セキュリティのために符号化されうる。告知済一時ＩＤ中の符号化された情報は、セキュリティキーを有するＵＥによって復号されうる。例えば、送信側ＵＥと同じグループに属する各ＵＥは、告知済一時ＩＤ中の符号化された情報を復号するために使用される、グループを識別するＩＤとセキュリティキーとを有しうる。
【００４７】
[0067]図６は、本開示のある態様にしたがった、告知済一時ＩＤの生成を例示する実例的な図６００である。例えば、一時ＩＤ６１０は、告知済一時ＩＤを生成するために一時ＩＤ６１０を符号化することによってセキュアにされうる。ＵＥは、プレフィックス部分６２０とサフィックス部分６３０とを含む一時ＩＤ６１０を生成しうる。プレフィックス部分６２０は、レイヤ２（Ｌ２）グループＩＤのようなグループＩＤとＰｒｏＳｅグループキーＩＤ（ＰＧＫ ＩＤ）のようなグループキーＩＤとを含みうる。サフィックス部分６３０は、ＵＥ自身のＩＤ（例えば、Ｌ２ ＩＤ）、ＵＥ自身の階層、ＵＥの近隣ＵＥのＩＤ（例えば、Ｌ２ ＩＤ）、およびＵＥの近隣ＵＥの階層値を含む。ＵＥの近隣ＵＥが識別されない場合、ＵＥの近隣ＵＥのＩＤについての値とＵＥの近隣ＵＥの階層値とが０に設定されることに留意されたい。ＵＥは、協定世界時（ＵＴＣ）ベースのカウンタ６５０に基づいて、プレフィックス部分６２０中のグループＩＤとグループキーＩＤとを符号化するために一方向性ハッシュ関数６４０を適用する。ＵＴＣベースのカウンタ６５０は、オープンな発見（open discovery）において使用されるのと同じシステム時間を有する。プレフィックス部分６８０は、一方向性ハッシュ関数６４０とＵＴＣベースのカウンタ６５０とに基づいてグループＩＤとグループキーＩＤとを符号化することによって生成される。一方向性ハッシュ関数６４０からの出力の一部は、告知済一時ＩＤ６７０のサフィックス部分６９０を生成するためにＸＯＲ動作６６０によってサフィックス部分６３０と組み合される。このことから、告知済一時ＩＤ６７０は、制限されたプレフィックス部分６８０と本質的にオープンな（open-in-nature）サフィックス部分６９０とを含む。告知済一時ＩＤ６７０を含む発見メッセージを受信するモニタリングＵＥは、まずプレフィックス部分６８０を復号することを試みうる。モニタリングＵＥが一時ＩＤ６１０のプレフィックス部分６２０のグループＩＤおよびグループキーＩＤと同じグループＩＤおよび同じグループキーＩＤを有する場合、モニタリングＵＥは、ＵＥによって生成された告知済一時ＩＤ６７０のプレフィックス部分６８０を復号することが可能になるであろう。後に、モニタリングＵＥは、例えば、サフィックス部分６９０とグループＩＤおよびグループキーＩＤの一方向性ハッシュ関数の出力の一部とＸＯＲ動作を遂行することによって、告知済一時ＩＤ６７０のサフィックス部分６９０を復号しうる。このことから、サフィックスは、ＸＯＲ動作６６０に類似したＸＯＲ動作を介して復号される。
【００４８】
[0068]ＵＥは、一時ＩＤのサイズ制限に起因して、近隣ＵＥのＩＤと近隣ＵＥの階層情報の全てを発見メッセージ中に含むことができないことがありうることに留意されたい。このことから、以下のアプローチのうちの少なくとも１つは、そのような問題に対処するために利用されうる。第１のアプローチにしたがって、ＵＥは、ある特定の数の近隣ＵＥと発見メッセージ中に含まれることになるそれらの階層情報とを選択しえ、ここで、その選択は、近隣ＵＥの信号強度および／または近隣ＵＥの階層番号に基づく。第２のアプローチにしたがって、ＵＥは、異なる発見メッセージを送りえ、ここで、発見メッセージは、近隣ＵＥの異なるセットについての情報とそれらの階層情報とを含む。例えば、第１の発見メッセージは、近隣ＵＥの第１のセットについての情報とそれらの階層情報とを含み、第２の発見メッセージは、近隣ＵＥの第２のセットについての情報とそれらの階層情報とを含みえ、ここで、第１のセットと第２のセットとは、近隣ＵＥ全体をカバーする。第３のアプローチにしたがって、ＵＥは、１つまたは複数の近隣ＵＥを示すためのグループ通信メッセージを生成しえ、ここで、このグループ通信は、発見メッセージとは別個である。グループ通信メッセージは、発見メッセージの一時ＩＤが有するサイズ制限を有さないことがありうる。発見メッセージは、いつ／またはどこに（どの周波数帯域で）グループ通信メッセージが送られるかを示す情報を含みえ、それにより、発見メッセージを受信するＵＥは、グループ通信メッセージを絶えずリッスンする（listen for）必要がない。
【００４９】
[0069]図７は、本開示のある態様にしたがった、他のユーザ機器と通信するユーザ機器を例示する実例的な図７００である。実例的な図７００では、同じグループ中にｎ個のＵＥ（例えば、第１のＵＥ７０２、第２のＵＥ７０４、第３のＵＥ７０６、…ｍ番目のＵＥ７１０）がある。実例的な図７００では、各ＵＥは、隣接ＵＥを発見しうる。このことから、第１のＵＥ７０２は、第２のＵＥ７０４を発見し、第２のＵＥ７０４は、第１のＵＥ７０２と第３のＵＥ７０６とを発見し、第３のＵＥ７０６は、第２のＵＥ７０４と第４のＵＥ７０８とを発見し、といった具合でありうる。第１のＵＥ７０２が第１のＵＥ７０２の１ホップ近隣物からｎホップ近隣物までを発見するように構成されうる場合。ホップの数は、第１のＵＥ７０２が別のＵＥと通信するために利用しうるＵＥ間での接続の数を示す。例えば、第２のＵＥ７０４は、第１のＵＥ７０２が第２のＵＥ７０４と通信するために１つのＵＥ接続（７１４）を使用することから、第１のＵＥ７０２の１ホップ近隣ＵＥである。例えば、第３のＵＥ７０６は、７３４において第１のＵＥ７０２が第２のＵＥ７０４を通じて第３のＵＥ７０６と通信するために２つのＵＥ接続（７１４および７１６）を使用することから、第１のＵＥ７０２の２ホップ近隣ＵＥである。例えば、第４のＵＥ７０８は、７３６において第１のＵＥ７０２が第２のＵＥ７０４と第３のＵＥ７０６とを通じて第３のＵＥ７０６と通信するために３つのＵＥ接続（７１４、７１６、７１８）を使用することから、第１のＵＥ７０２の３ホップ近隣ＵＥである。例えば、ｍ番目のＵＥ７０８は、７３８において第１のＵＥ７０２がｎ個のＵＥ（例えば、第２のＵＥ７０４、第３のＵＥ７０６、第４のＵＥ７０８…、（ｍ−１）番目のＵＥ）を通じてｍ番目のＵＥ７０８と通信するためにｎ個のＵＥ接続を使用することから、第１のＵＥ７０２のｎホップ近隣ＵＥであり、ここで、ｎ＝ｍ−１である。
【００５０】
[0070]１つまたは複数のＵＥは、近隣ＵＥに送られることになる発見メッセージを生成しうる。例えば、第２のＵＥ７０４は、発見メッセージを生成し、第１のＵＥ７０２に発見メッセージを送りうる。第２のＵＥ７０４によって生成される発見メッセージは、一時ＩＤを含みえ、ここで、一時ＩＤのプレフィックスは、第２のＵＥ７０４のグループＩＤとグループキーＩＤとを含み、一時ＩＤのサフィックス部分は、第２のＵＥ７０４自身のＩＤ、第２のＵＥ７０４の階層情報、および第２のＵＥ７０４の１ホップ近隣ＵＥのＩＤと階層情報とを含みうる。一態様では、第２のＵＥ７０４によって生成される発見メッセージ中の一時ＩＤのサフィックス部分は加えて、第２のＵＥ８０４の２ホップ近隣ＵＥ（第２のＵＥの近隣ＵＥの近隣ＵＥ）のＩＤと階層情報とを含みうる。一態様では、第２のＵＥ７０４によって生成される発見メッセージ中の一時ＩＤのサフィックス部分は、第２のＵＥ７０４から最大で（ｎ−１）ホップ近隣ＵＥまでのＩＤと階層情報とを含みうる。
【００５１】
[0071]第１のＵＥ７０２は、第２のＵＥ７０４から発見メッセージを受信しうる。第２のＵＥ７０４からの発見メッセージに基づいて、第１のＵＥ７０２は、中継器として動作する第２のＵＥ７０４を介してＵＥのうちの１つまたは複数（第３のＵＥ７０６、第４のＵＥ７０８…、（ｍ−１）番目のＵＥ）と通信することを決定しうる。ある態様では、通信するというそのような決定に際して、第１のＵＥ７０２は、通信のために中継器として動作することを第２のＵＥ７０４に要求しうる。一例では、発見メッセージが第２のＵＥ７０４と第２のＵＥ７０４の近隣ＵＥである第３のＵＥ７０６とについての情報（例えば、ＩＤ、階層情報）を含む場合、第１のＵＥ７０２は、第２のＵＥ７０４からの発見メッセージに基づいて、７３２において第２のＵＥ７０４を通じて第３のＵＥ７０６と通信しうる。別の例では、発見メッセージが第２のＵＥ７０４、第３のＵＥ７０６、および第４のＵＥ７０８についての情報（例えば、ＩＤ、階層情報）を含みうる場合、第１のＵＥ７０２は、第２のＵＥ７０４からの発見メッセージに基づいて、７３６において第２のＵＥ７０４と第３のＵＥ７０６とを通じて第４のＵＥ７０８と通信しうる。この例では、第４のＵＥ７０８と通信するという決定に際して、第１のＵＥ７０２は、第４のＵＥ７０８との通信のために中継器として動作することを第２のＵＥ７０４と第３のＵＥ７０６とに要求しうる。同様に、別の例では、発見メッセージが第２のＵＥから（ｍ−１）番目のＵＥまでついての情報（例えば、ＩＤ、階層情報）を含む場合、第１のＵＥ７０２は、第２のＵＥ７０４からの発見メッセージに基づいて、７３８において第２のＵＥ７０４から（ｍ−１）番目のＵＥまでを通じてｍ番目のＵＥ７１０と通信しうる。
【００５２】
[0072]図８Ａ−８Ｃは、全部のメンバに可視性があるケースを例示する実例的な図である。図８Ａは、グループ中のＵＥ間で全部のメンバに可視性があることを例示する実例的な図８００である。実例的な図８００では、同じグループ中に、ＵＥ Ａ、ＵＥ Ｂ、ＵＥ Ｃ、ＵＥ Ｄ、ＵＥ Ｅ、ＵＥ Ｆ、およびＵＥ Ｇを含む７つのＵＥがある。ＵＥの各々は、他のＵＥの全てを発見することができる。例えば、ＵＥ Ａは、それぞれのＵＥから発見メッセージを受信することによって、ＵＥ Ｂ、ＵＥ Ｃ、ＵＥ Ｄ、ＵＥ Ｅ、ＵＥ Ｆ、およびＵＥ Ｇを発見しうる。
【００５３】
[0073]図８Ｂは、全部のメンバに可視性があるケースにおける発見メッセージの通信を例示する実例的な図８５０である。実例的な図８５０中の各ラインでは、白のドットは、ＵＥによる発見メッセージの送信を表し、ベタ一色のドット（solid dot）は、近隣ＵＥによる発見メッセージの受信を表す。ＵＥ Ａがその近隣ＵＥに発見メッセージ（ＵＥ Ａ発見要求）を送ると、発見メッセージは、ＵＥ Ｂ、ＵＥ Ｃ、ＵＥ Ｄ、ＵＥ Ｅ、ＵＥ Ｆ、およびＵＥ Ｇを含む全ての近隣ＵＥによって受信されうる。ＵＥ Ｂがその近隣ＵＥに発見メッセージ（ＵＥ Ｂ発見要求）を送ると、発見メッセージは、ＵＥ Ａ、ＵＥ Ｃ、ＵＥ Ｄ、ＵＥ Ｅ、ＵＥ Ｆ、およびＵＥ Ｇを含む全ての近隣ＵＥによって受信されうる。ＵＥ Ｃがその近隣ＵＥに発見メッセージ（ＵＥ Ｃ発見要求）を送ると、発見メッセージは、ＵＥ Ａ、ＵＥ Ｂ、ＵＥ Ｄ、ＵＥ Ｅ、ＵＥ Ｆ、およびＵＥ Ｇを含む全ての近隣ＵＥによって受信されうる。ＵＥ Ｄがその近隣ＵＥに発見メッセージ（ＵＥ Ｄ発見要求）を送ると、発見メッセージは、ＵＥ Ａ、ＵＥ Ｂ、ＵＥ Ｃ、ＵＥ Ｅ、ＵＥ Ｆ、およびＵＥ Ｇを含む全ての近隣ＵＥによって受信されうる。ＵＥ Ｅがその近隣ＵＥに発見メッセージ（ＵＥ Ｅ発見要求）を送ると、発見メッセージは、ＵＥ Ａ、ＵＥ Ｂ、ＵＥ Ｃ、ＵＥ Ｄ、ＵＥ Ｆ、およびＵＥ Ｇを含む全ての近隣ＵＥによって受信されうる。ＵＥ Ｆがその近隣ＵＥに発見メッセージ（ＵＥ Ｆ発見要求）を送ると、発見メッセージは、ＵＥ Ａ、ＵＥ Ｂ、ＵＥ Ｃ、ＵＥ Ｄ、ＵＥ Ｅ、およびＵＥ Ｇを含む全ての近隣ＵＥによって受信されうる。ＵＥ Ｇがその近隣ＵＥに発見メッセージ（ＵＥ Ｇ発見要求）を送ると、発見メッセージは、ＵＥ Ａ、ＵＥ Ｂ、ＵＥ Ｃ、ＵＥ Ｄ、ＵＥ Ｅ、およびＵＥ Ｆを含む全ての近隣ＵＥによって受信されうる。このことから、実例的な図８００および８５０では、ＵＥの各々は、他のＵＥの１ホップ近隣物であり、他のＵＥのいずれによっても発見されることができる。
【００５４】
[0074]図８Ｃは、一部のメンバに可視性があるケースにおける実例的な可視性のリスト８７０を例示している。実例的な可視性のリスト８７０は、一部のメンバに可視性があるケースにおけるＵＥ Ａの可視性のリストである。例えば、ＵＥ Ａは、ＵＥ Ｂ、ＵＥ Ｃ、ＵＥ Ｄ、ＵＥ Ｅ、ＵＥ Ｆ、およびＵＥ Ｇを含む１ホップ近隣ＵＥを有する。可視性のリストが１ホップ近隣物の階層情報を含みうることに留意されたい。ＵＥ Ａは、この可視性のリストを維持しえ、ＵＥ Ａに送られる発見メッセージが時間とともに周期的に変化しうることから、可視性のリストを周期的に更新しうる。
【００５５】
[0075]図９Ａ−９Ｃは、一部のメンバに可視性があるケースを例示する実例的な図である。図９Ａは、グループ中のＵＥ間で一部のメンバに可視性があることを例示する実例的な図９００である。実例的な図９００では、同じグループ中に、ＵＥ Ａ、ＵＥ Ｂ、ＵＥ Ｃ、ＵＥ Ｄ、ＵＥ Ｅ、ＵＥ Ｆ、およびＵＥ Ｇを含む７つのＵＥがある。実例的な図９００では、ＵＥの各々は、他のＵＥのうちの４つを発見することができる。例えば、ＵＥ Ａは、それぞれのＵＥから発見メッセージを受信することによって、ＵＥ Ｂ、ＵＥ Ｃ、ＵＥ Ｆ、およびＵＥ Ｇを発見しうる。ＵＥ Ａは、ＵＥ ＥまたはＵＥ Ｄからは発見メッセージを受信しない。
【００５６】
[0076]図９Ｂは、一部のメンバに可視性があるケースにおける発見メッセージの通信を例示する実例的な図９５０である。実例的な図９５０中の各ラインでは、白のドットは、ＵＥによる発見メッセージの送信を表し、ベタ一色のドットは、近隣ＵＥによる発見メッセージの受信を表す。ＵＥ Ａがその近隣ＵＥに発見メッセージ（ＵＥ Ａ発見要求）を送ると、発見メッセージは、ＵＥ Ｂ、ＵＥ Ｃ、ＵＥ ＦおよびＵＥ Ｇによって受信されうる。ＵＥ Ｂがその近隣ＵＥに発見メッセージ（ＵＥ Ｂ発見要求）を送ると、発見メッセージは、ＵＥ Ａ、ＵＥ Ｃ、ＵＥ ＤおよびＵＥ Ｇによって受信されうる。ＵＥ Ｃがその近隣ＵＥに発見メッセージ（ＵＥ Ｃ発見要求）を送ると、発見メッセージは、ＵＥ Ａ、ＵＥ Ｂ、ＵＥ ＤおよびＵＥ Ｅによって受信されうる。ＵＥ Ｄがその近隣ＵＥに発見メッセージ（ＵＥ Ｄ発見要求）を送ると、発見メッセージは、ＵＥ Ｂ、ＵＥ Ｃ、ＵＥ ＥおよびＵＥ Ｆによって受信されうる。ＵＥ Ｅがその近隣ＵＥに発見メッセージ（ＵＥ Ｅ発見要求）を送ると、発見メッセージは、ＵＥ Ｃ、ＵＥ Ｄ、ＵＥ ＦおよびＵＥ Ｇによって受信されうる。ＵＥ Ｆがその近隣ＵＥに発見メッセージ（ＵＥ Ｆ発見要求）を送ると、発見メッセージは、ＵＥ Ａ、ＵＥ Ｄ、ＵＥ ＥおよびＵＥ Ｇによって受信されうる。ＵＥ Ｇがその近隣ＵＥに発見メッセージ（ＵＥ Ｇ発見要求）を送ると、発見メッセージは、ＵＥ Ａ、ＵＥ Ｂ、ＵＥ ＥおよびＵＥ Ｆによって受信されうる。
【００５７】
[0077]実例的な図９５０はまた、ＵＥ ＡがＵＥ Ｂ、ＵＥ Ｃ、ＵＥ ＦおよびＵＥ Ｇからそれぞれ送られた発見メッセージを受信しうることを例示する。ＵＥ Ｂは、ＵＥ Ａ、ＵＥ Ｃ、ＵＥ ＤおよびＵＥ Ｇからそれぞれ送られた発見メッセージを受信しうる。ＵＥ Ｃは、ＵＥ Ａ、ＵＥ Ｂ、ＵＥ ＤおよびＵＥ Ｅからそれぞれ送られた発見メッセージを受信しうる。ＵＥ Ｄは、ＵＥ Ｂ、ＵＥ Ｃ、ＵＥ ＥおよびＵＥ Ｆから送られた発見メッセージを受信しうる。ＵＥ Ｅは、ＵＥ Ｃ、ＵＥ Ｄ、ＵＥ ＦおよびＵＥ Ｇからそれぞれ送られた発見メッセージを受信しうる。ＵＥ Ｆは、ＵＥ Ａ、ＵＥ Ｄ、ＵＥ ＥおよびＵＥ Ｇからそれぞれ送られた発見メッセージを受信しうる。ＵＥ Ｇは、ＵＥ Ａ、ＵＥ Ｂ、ＵＥ ＥおよびＵＥ Ｆからそれぞれ送られた発見メッセージを受信しうる。このことから、実例的な図９５０では、各ＵＥは、それぞれの１ホップ近隣ＵＥから発見メッセージを受信することによって直接発見されることができる４つの１ホップ近隣ＵＥを有する。さらに、実例的な図９５０では、各ＵＥは、１ホップ近隣ＵＥから発見メッセージを受信することによって発見されることができる２つの２ホップ近隣ＵＥを有しうる。
【００５８】
[0078]図９Ｃは、一部のメンバに可視性があるケースにおける実例的な可視性のリスト９７０を例示している。実例的な可視性のリスト９７０は、一部のメンバに可視性があるケースにおけるＵＥ Ａの可視性のリストである。例えば、ＵＥ Ａは、ＵＥ Ｂ、ＵＥ Ｃ、ＵＥ Ｆ、およびＵＥ Ｇを含む１ホップ近隣ＵＥを有する。ＵＥ Ａは、ＵＥ ＢまたはＵＥ ＣあるいはＵＥ Ｆから受信された発見メッセージに基づいてＵＥ Ｄを発見しうる。ＵＥ Ｂ、ＵＥ Ｃ、およびＵＥ ＦのうちのどれもＵＥ Ｄを発見することができることから、ＵＥ ＢまたはＵＥ ＣあるいはＵＥ Ｆからの発見メッセージは、ＵＥ Ｄについての情報を含み、それは、ＵＥ Ｄを発見するためにＵＥ Ａによって使用されうる。さらに、ＵＥ Ｃ、ＵＥ Ｆ、およびＵＥ ＧのうちのどれもＵＥ Ｅを発見することができることから、ＵＥ ＣまたはＵＥ ＦあるいはＵＥ Ｇからの発見メッセージは、ＵＥ Ｅについての情報を含み、それは、ＵＥ Ｅを発見するためにＵＥ Ａによって使用されることができる。ＵＥ ＤおよびＵＥ Ｅは、ＵＥ Ａが中継器として動作する別のＵＥを介してＵＥ Ｄおよび／またはＵＥ Ｅを発見しうることから、ＵＥ Ａの２ホップ近隣物である。可視性のリストが１ホップ近隣物と２ホップ近隣物との階層情報を含みうることに留意されたい。ＵＥ Ａは、この可視性のリストを維持しえ、ＵＥ Ａに送られる発見メッセージが時間とともに周期的に変化しうることから、可視性のリストを周期的に更新しうる。
【００５９】
[0079]図１０Ａ−１０Ｃは、限られたメンバに可視性があるケースを例示する実例的な図である。図１０Ａは、グループ中のＵＥ間で限られたメンバに可視性があることを例示する実例的な図１０００である。実例的な図１０００では、同じグループ中に、ＵＥ Ａ、ＵＥ Ｂ、ＵＥ Ｃ、ＵＥ Ｄ、ＵＥ Ｅ、ＵＥ Ｆ、およびＵＥ Ｇを含む７つのＵＥがある。実例的な図１０００では、ＵＥの各々は、他のＵＥのうちの２つを発見することができる。例えば、ＵＥ Ａは、それぞれのＵＥから発見メッセージを受信することによって、ＵＥ ＢおよびＵＥ Ｇを発見しうる。ＵＥ Ａは、ＵＥ Ｃ、ＵＥ Ｄ、ＵＥ ＥまたはＵＥ Ｆからは発見メッセージを受信しない。
【００６０】
[0080]図１０Ｂは、限られたメンバに可視性があるケースにおける発見メッセージの通信を例示する実例的な図１０５０である。実例的な図１０５０中の各ラインでは、白のドットは、ＵＥによる発見メッセージの送信を表し、ベタ一色のドットは、近隣ＵＥによる発見メッセージの受信を表す。ＵＥ Ａがその近隣ＵＥに発見メッセージ（ＵＥ Ａ発見要求）を送ると、発見メッセージは、ＵＥ ＢおよびＵＥ Ｇによって受信されうる。ＵＥ Ｂがその近隣ＵＥに発見メッセージ（ＵＥ Ｂ発見要求）を送ると、発見メッセージは、ＵＥ ＡおよびＵＥ Ｃによって受信されうる。ＵＥ Ｃがその近隣ＵＥに発見メッセージ（ＵＥ Ｃ発見要求）を送ると、発見メッセージは、ＵＥ ＢおよびＵＥ Ｄによって受信されうる。ＵＥ Ｄがその近隣ＵＥに発見メッセージ（ＵＥ Ｄ発見要求）を送ると、発見メッセージは、ＵＥ ＣおよびＵＥ Ｅによって受信されうる。ＵＥ Ｅがその近隣ＵＥに発見メッセージ（ＵＥ Ｅ発見要求）を送ると、発見メッセージは、ＵＥ ＤおよびＵＥ Ｆによって受信されうる。ＵＥ Ｆがその近隣ＵＥに発見メッセージ（ＵＥ Ｆ発見要求）を送ると、発見メッセージは、ＵＥ ＥおよびＵＥ Ｇによって受信されうる。ＵＥ Ｇがその近隣ＵＥに発見メッセージ（ＵＥ Ｇ発見要求）を送ると、発見メッセージは、ＵＥ ＡおよびＵＥ Ｆによって受信されうる。
【００６１】
[0081]実例的な図１０５０はまた、ＵＥ ＡがＵＥ ＢおよびＵＥ Ｇからそれぞれ送られた発見メッセージを受信しうることを例示する。ＵＥ Ｂは、ＵＥ ＡおよびＵＥ Ｃからそれぞれ送られた発見メッセージを受信しうる。ＵＥ Ｃは、ＵＥ ＢおよびＵＥ Ｄからそれぞれ送られた発見メッセージを受信しうる。ＵＥ Ｄは、ＵＥ ＣおよびＵＥ Ｅから送られた発見メッセージを受信しうる。ＵＥ Ｅは、ＵＥ ＤおよびＵＥ Ｆからそれぞれ送られた発見メッセージを受信しうる。ＵＥ Ｆは、ＵＥ ＥおよびＵＥ Ｇからそれぞれ送られた発見メッセージを受信しうる。ＵＥ Ｇは、ＵＥ ＡおよびＵＥ Ｆからそれぞれ送られた発見メッセージを受信しうる。このことから、実例的な図１０５０では、各ＵＥは、それぞれの１ホップ近隣ＵＥから発見メッセージを受信することによって直接発見されることができる２つの１ホップ近隣ＵＥを有する。さらに、実例的な図１０５０では、各ＵＥは、１ホップ近隣ＵＥから発見メッセージを受信することによって発見されることができる２つの２ホップ近隣ＵＥを有しうる。
【００６２】
[0082]図１０Ｃは、一部のメンバに可視性があるケースにおける実例的な可視性のリスト１０７０を例示している。実例的な可視性のリスト１０７０は、一部のメンバに可視性があるケースにおけるＵＥ Ａの可視性のリストである。可視性のリスト１０７０は、ＵＥ Ａによって絶えず更新されうる。例えば、ＵＥ Ａは、ＵＥ Ｂ、ＵＥ Ｃ、ＵＥ Ｆ、およびＵＥ Ｇを含む１ホップ近隣ＵＥを有する。ＵＥ Ａは、ＵＥ ＢまたはＵＥ ＣあるいはＵＥ Ｆから受信された発見メッセージに基づいてＵＥ Ｄを発見しうる。ＵＥ Ｂ、ＵＥ Ｃ、およびＵＥ ＦのうちのどれもＵＥ Ｄを発見することができることから、ＵＥ ＢまたはＵＥ ＣあるいはＵＥ Ｆからの発見メッセージは、ＵＥ Ｄについての情報を含む。ＵＥ Ａが中継器として動作する別のＵＥを介してＵＥ Ｄを発見し、それと通信しうることから、ＵＥ Ｄは、ＵＥ Ａの２ホップ近隣物である。ＵＥ Ａは、この可視性のリストを維持しえ、ＵＥ Ａに送られる発見メッセージが時間とともに周期的に変化しうることから、可視性のリストを周期的に更新しうる。
【００６３】
[0083]上記の例は、ＵＥの１ホップ近隣物と２ホップ近隣物とを発見するＵＥを例示しているが、ある態様では、ＵＥはさらに、１ホップ近隣物と２ホップ近隣物とに加えてｎホップ近隣物、およびそれらの対応する階層情報を発見するように構成されうる。図１０Ａ−１０Ｃ中に例示された例を参照すると、ＵＥが最大でｎホップ近隣物を発見するように構成される場合、ＵＥ−Ａは、その１ホップ近隣物から発見メッセージを受信しえ、ここで、発見メッセージは、１ホップ近隣物のＩＤ、２ホップ近隣物のＩＤ、３ホップ近隣物のＩＤ、４ホップ近隣物のＩＤ、…ｎホップ近隣物のＩＤ、およびそれらの階層情報を含む。このことから、例えば、図１０Ａ−１０Ｃ中に例示された例では、ＵＥが最大で３ホップ近隣物を発見するように構成される場合、ＵＥ Ａは、ＵＥ Ｂから発見メッセージを受信しえ、ここで、発見メッセージは、ＵＥ−Ｂ（１ホップ近隣物）、ＵＥ−Ｃ（２ホップ近隣物）、およびＵＥ−Ｄ（３ホップ近隣物）のＩＤと、それらの階層情報とを含む。特に、ＵＥ−Ｂは、（例えば、ＵＥ Ｃから発見メッセージを受信することによって）ＵＥ Ｃを介してＵＥ ＤのＩＤ（およびＵＥ ＣのＩＤ）と対応する階層情報とを決定しえ、それにより、ＵＥは、ＵＥ ＣおよびＵＥ ＤのＩＤならびにＵＥ ＢのＩＤを含む発見メッセージを生成し、それを送りうる。
【００６４】
[0084]可視性のリスト（例えば、可視性のリスト８７０、９７０、１０７０）がフロアアービトレーションのために利用されうることに留意されたい。特に、ＵＥが通信しうる可視性のリスト中の他のＵＥと対応する階層情報とをＵＥがリストすることから、ＵＥは、可視性のリストに基づいてフロアアービトレータを決定しうる。例えば、図８の可視性のリスト８７０では、可視性のリスト８７０中の階層番号の中で階層ｄが最も高い番号を有する場合、ＵＥ Ａは、階層ｄに対応するＵＥ Ｄがフロアアービトレータであると決定しうる。フロアアービトレーションプロシージャの詳細がさらに以下に提供される。
【００６５】
[0085]ある態様では、フロア制御（例えば、オフネットワークフロア制御）のためのモデルは、２つの要素：フロアチェア（floor chair）とフロア制御サーバとが組み合わされたフロアアービトレータと、フロアパーティシパント（floor participants）（例えば、フロアアービトレータではない他のＵＥ）を有する。最も高い階層値を有するＵＥは、フロアアービトレータとして選択される。一例では、ＵＥは、フロアアービトレータとして送信側ＵＥと送信側ＵＥの近隣ＵＥとのうちの１つを選択しうる。フロアアービトレータは、フロア許可を有するＵＥがグループ中の他のＵＥとのグループ通信を遂行しうるように、ＵＥに対して通信フロアを許可しうる。このことから、ＵＥは、他のＵＥとのグループ通信についての許可を取得するために、フロアアービトレータにフロア要求を送りうる。このフロア制御メカニズムは、ある特定のポート番号にＵＤＰ／ＩＰパケットを送ることに基づく。このポートは、グループ通信のためにセットアップされたセッション時に事前構成およびネゴシエートされる。グループ通信は、グループ内の全てのＵＥによってモニタされることができる。グループ中のフロアアービトレータと他のＵＥとは、フロアアービトレータに対して成されたフロア要求と、フロア制御についてのフロアアービトレータの応答とのリスト（フロア制御リスト）を維持する。フロアアービトレータは、通信フロア、階層、等についての待ち行列中でのＵＥの位置に基づいてフロア制御を扱うために、このフロア制御リストを維持する。いくつかの他のＵＥは、フロアアービトレータが利用不可能になり（例えば、カバレッジを失うまたはドロップオフする）、新しいフロアアービトレータが割り当てられるべきであるケースでは、フロアアービトレータが有するフロア制御リストのコピーを有するために、このフロア制御リストを維持する。例えば、より高い階層値を有するＵＥのうちの少なくともいくつかは、このフロア制御リストを維持しうる。ＵＥが上述された発見のフェーズ中に互いを発見する間に階層情報が既に決定され、このことから、ＵＤＰ／ＩＰパケットによって共有されないことがありうることに留意されたい。
【００６６】
[0086]図１１は、フロア制御のためのＵＤＰ／ＩＰパケットの構造を例示する実例的な図１１００である。ＵＤＰ／ＩＰパケット１１００は、通信用のある特定の宛先ポート番号とある特定のポート番号とを含む。ＵＤＰ／ＩＰパケット１１００はまた、プリミティブとフロア制御リストとを含む。プリミティブは、８ビット値でありうる。フロアパーティシパントとフロアアービトレータとは、互いと通信するためにプリミティブのセットを使用する。プリミティブがさらに、表１中に示されている。
【００６７】
【表１】
0006672328.tif 000002
【００６８】
[0087]表１は、異なる値についてのプリミティブおよび対応する方向を示し、ここで、「Ｓ」は、フロア制御サーバを表し、「Ｐ」は、フロアパーティシパントを表し、「Ｃｈ」は、フロアチェアを表す。フロア制御リストは、フロア制御プロシージャの状態を含み、プリミティブについての値に依存して通信されうる。
【００６９】
[0088]図１２は、フロア制御シグナリングを例示する実例的なフロー図１２００である。フロア制御要求は、グループ通信のために通信チャネル中に送られることになる。フロア制御要求は、ＵＥからフロアアービトレータに送られる。フロアアービトレータは、近隣ＵＥから送られる発見メッセージから取得される情報に基づいて決定されうる。上記に論述されたように、ＵＥは、ＵＥの近隣ＵＥの階層情報および／または近隣ＵＥの信号強度に基づいてフロアアービトレータを決定する。実例的なフロー図１２００は、丸括弧中に示されている階層値１、２、１、４、１、３、１をそれぞれ有するグループメンバＵＥ−Ａ、ＵＥ−Ｂ、ＵＥ−Ｃ、ＵＥ−Ｄ、ＵＥ−Ｅ、ＵＥ−Ｆ、およびＵＥ−Ｇ間の相互作用を示している。ＵＥ−Ｄがグループメンバの中で最も高い階層値を有していることから、ＵＥ−Ａは、ＵＥ−Ｄがフロアアービトレータであると決定する。図９Ａ−９Ｃの例と同様に、ＵＥ−Ｃは、ＵＥ−Ａの１ホップ近隣物、ならびにＵＥ−Ｄの１ホップ近隣物でありえ、その一方でＵＥ−Ｄは、ＵＥ−Ａの２ホップ近隣物でありうる。このことから、ＵＥ−Ａは、中継器として動作するＵＥ−Ｃを介してＵＥ−Ｄに通信しうる。１２１２において、フロアを取得するために、ＵＥ−Ａは、ＵＥ−Ｃにフロア要求を送り、それにより、ＵＥ−Ｃは、１２１４においてＵＥ−Ａからのフロア要求をＵＥ−Ｄに中継するために中継機能を遂行しうる。１２１６において、ＵＥ−Ｄは、ＵＥ−Ｃにフロア要求の受け入れを示すフロア応答を送ることによってフロア要求に応答し、それは後に、１２１８においてＵＥ−Ａにフロア応答を中継する。より高い階層値を有するＵＥは、それぞれのフロア制御リストを作り上げうる。特に、実例的な図１２００では、ＵＥ−Ｂ、ＵＥ−Ｄ、およびＵＥ−Ｆが、他のＵＥより高い階層値（それぞれ２、４、および３）を有する。このことから、ＵＥ−Ｂ、ＵＥ−Ｄ、およびＵＥ−Ｆは、それぞれ１２２０、１２２２、および１２２４において、それぞれのフロア制御リストを作り上げる。１２２６において、フロアを取得した後で、ＵＥ−Ａは、フロアに基づいてグループメンバとのグループ通信（例えば、媒体）を遂行する。ＵＥ−Ａがフロアに基づいてグループ通信を遂行する間、別のＵＥがフロアを取得することを試みうる。
【００７０】
[0089]１２２８において、ＵＥ−Ａがフロアに基づいてグループ通信を遂行する間、ＵＥ−ＣがＵＥ−Ｄにフロア要求を送る。それに応答して、１２３０において、ＵＥ−Ｄは、フロアがＵＥ−Ａによって利用されていることから、ＵＥ−Ｃに待機するように指示するフロア応答を送る。ＵＥ−Ｂ、１２３２、１２３４、および１２３６において、ＵＥ−Ｂ、ＵＥ−Ｄ、およびＵＥ−Ｆは、それぞれのフロア制御リストをそれぞれ作り上げる。１２３８において、ＵＥ−Ｄは、カバレッジを失い、利用不可能になりうる。ＵＥ−Ｄが利用不可能になった場合、新しいフロアアービトレータが階層情報に基づいて（例えば、ＵＥ−Ａによって）決定される。１２４０において、ＵＥ−Ｄが利用不可能になった後で、ＵＥ−Ｆが利用可能なＵＥの中で最も高い階層値を有していることから、ＵＥ−Ｆが新しいフロアアービトレータになる。ＵＥ−Ｆが新しいフロアアービトレータになると、ＵＥ−Ｆは、絶えず維持されるフロア制御リストに基づいてフロアアービトレータの動作を継続しうる。
【００７１】
[0090]図１３は、ランクベースのフロアアービトレーションを例示する実例的なフロー図１３００である。実例的なフロー図１３００は、複数のＵＥからのフロア要求がフロアアービトレータに送られるシナリオと、（例えば、ランキングに基づく）それら要求に対するフロアアービトレータの応答とを例示している。特に、フロアアービトレータは、どのＵＥが各ＵＥのランキングに基づいてフロアを許可されるべきかを決定しえ、ここにおいて、ランキングは、階層情報に基づいて決定される。１３１２において、同じグループ中のＵＥ（ＵＥ１からＵＥ Ｎ）は、発見メッセージを送信および受信することによってピア発見を遂行し、近隣ＵＥの階層情報も決定しうる。１３１４において、ＵＥは、ＵＥ間で階層情報に基づくＵＥの到達可能性（reachability）情報（例えば、ＵＥが１ホップ近隣物であるか、または２ホップ近隣物であるか、あるいはｎホップ近隣物であるか）およびランキングを共有し、（例えば、最も高い階層値に対応する）最も高いランキングを有するＵＥがフロアアービトレータであると決定する。このことから、１３１６において、最も高いランキングを有するＵＥ３がフロアアービトレータになり、ＵＥ３は、１３１８においてＵＥ３がフロアアービトレータであることを通知する通知を他のＵＥに送る。１３２０において、ＵＥ２は、他のＵＥとのグループ通信を開始する。グループ通信を遂行するために、ＵＥ２は、１３２２において、ＵＥ３にフロア要求を送り、フロアを許可するフロア応答をＵＥ３から受信する。ＵＥ２がフロア応答に基づいてフロアを取得すると、ＵＥ２は、１３２４において他のＵＥとのグループ通信を遂行する。
【００７２】
[0091]１３２６において、ＵＥ３は、利用不可能になり、このことからフロアアービトレータとして利用不可能になる。１３２８において、ＵＥ３がフロアアービトレータとして利用不可能になると、ＵＥは、ＵＥ間で階層情報に基づくＵＥの到達可能性情報およびランキングを共有し、最も高いランキングを有するＵＥがフロアアービトレータであると決定する。ＵＥ３が利用不可能になることで、ＵＥ１が最も高いランキングを有する。このことから、１３３０において、ＵＥ１が新しいフロアアービトレータになり、ＵＥ１は、１３３２においてＵＥ１が新しいフロアアービトレータであることを通知する通知を他のＵＥに送る。ＵＥがグループ通信を継続するために、ＵＥ２は、１３３４において、新しいアービトレータであるＵＥ１にフロア要求を送り、フロアを許可するフロア応答をＵＥ１から受信する。ＵＥ２がフロア応答に基づいてフロアを取得すると、ＵＥ２は、１３３６において他のＵＥとのグループ通信を遂行することを継続する。
【００７３】
[0092]図１４は、本開示のある態様にしたがった、ワイヤレス通信の方法のフローチャート１４００である。方法は、第１のＵＥ（例えば、ＵＥ４６４、装置１８０２／１８０２’）によって遂行されうる。１４０２において、第１のＵＥは、第２のＵＥから発見メッセージを受信し、発見メッセージは、第２のＵＥの１ホップ近隣ＵＥについての情報を含む。ある態様では、第１のＵＥは、第１のグループＩＤと第１のグループキーＩＤとを有しえ、発見メッセージは、第２のグループＩＤと第２のグループキーＩＤとを含む。例えば、上記に論述されたように、第２のＵＥ７０４は、発見メッセージを生成し、第１のＵＥ７０２に発見メッセージを送りうる。例えば、上記に論述されたように、第２のＵＥ７０４によって生成される発見メッセージは、一時ＩＤを含みえ、ここで、一時ＩＤのプレフィックスは、第２のＵＥ７０４のグループＩＤとグループキーＩＤとを含み、一時ＩＤのサフィックス部分は、第２のＵＥ７０４自身のＩＤ、第２のＵＥ７０４の階層情報、および第２のＵＥ７０４の１ホップ近隣ＵＥのＩＤと階層情報とを含みうる。１４０４において、第１のＵＥは、第１のグループＩＤと第１のグループキーＩＤとに基づいて発見メッセージを復号することを試みうる。例えば、上記に論述されたように、送信側ＵＥと同じグループに属する各ＵＥは、発見メッセージ中に含まれる告知済一時ＩＤ中の符号化された情報を復号するために使用される、グループを識別するＩＤとセキュリティキーとを有しうる。
【００７４】
[0093]１４０６において、第１のＵＥは、第１のグループＩＤと第２のグループＩＤとが同じであり、且つ第１のグループキーＩＤと第２のグループキーＩＤとが同じであるときに、復号された発見メッセージに基づいて１ホップ近隣ＵＥを決定しうる。例えば、上記に論述されたように、モニタリングＵＥが一時ＩＤ６１０のプレフィックス部分６２０のグループＩＤおよびグループキーＩＤと同じグループＩＤおよび同じグループキーＩＤを有する場合、モニタリングＵＥは、ＵＥによって生成された告知済一時ＩＤ６７０のプレフィックス部分６８０を復号することが可能になるであろう。ある態様では、発見メッセージは、プレフィックス部分とサフィックス部分とを含む一時ＩＤを含み、プレフィックス部分は、第２のグループＩＤと第２のグループキーＩＤとを含み、サフィックス部分は、第２のＵＥの１ホップ近隣ＵＥを示す少なくとも１つの識別子を含む。ある態様では、第１のグループＩＤは、第１のレイヤ２グループＩＤであり、第１のグループキーＩＤは、第１のＰＧＫ ＩＤである。ある態様では、サフィックス部分はさらに、第２のＵＥのＩＤ、第２のＵＥの階層情報、および第２のＵＥの１ホップ近隣ＵＥの階層情報を含む。例えば、上記に論述されたように、ＵＥは、プレフィックス部分６２０とサフィックス部分６３０とを含む一時ＩＤ６１０を生成しうる。例えば、上記に論述されたように、プレフィックス部分６２０は、レイヤ２（Ｌ２）グループＩＤのようなグループＩＤとＰｒｏＳｅグループキーＩＤ（ＰＧＫ ＩＤ）のようなグループキーＩＤとを含みうる。サフィックス部分６３０は、ＵＥ自身のＩＤ（例えば、Ｌ２ ＩＤ）、ＵＥ自身の階層、ＵＥの近隣ＵＥのＩＤ（例えば、Ｌ２ ＩＤ）、およびＵＥの近隣ＵＥの階層値を含む。ある態様では、プレフィックス部分とサフィックス部分とは、ハッシュ関数、第２のグループＩＤ、および第２のグループキーＩＤに基づいて符号化される。例えば、上記に論述されたように、ＵＥは、ＵＴＣベースのカウンタ６５０に基づいて、プレフィックス部分６２０中のグループＩＤとグループキーＩＤとを符号化するために一方向性ハッシュ関数６４０を適用する。
【００７５】
[0094]１４０８において、第１のＵＥは、発見メッセージに基づいて第３のＵＥと通信することを決定し、第３のＵＥは、第２のＵＥの１ホップ近隣ＵＥのうちの１つである。例えば、上記に論述されたように、第２のＵＥ７０４からの発見メッセージに基づいて、第１のＵＥ７０２は、中継器として動作する第２のＵＥ７０４を介してＵＥのうちの１つまたは複数（第３のＵＥ７０６、第４のＵＥ７０８…、（ｍ−１）番目のＵＥ）と通信することを決定しうる。１４１０において、第１のＵＥは、第１のＵＥと第３のＵＥとの間での通信のために中継器として動作することを第２のＵＥに要求する。例えば、上記に論述されたように、通信するというそのような決定に際して、第１のＵＥ７０２は、通信のために中継器として動作することを第２のＵＥ７０４に要求しうる。１４１２において、第１のＵＥは、第２のＵＥを通じて第３のＵＥと通信する。例えば、上記に論述されたように、発見メッセージが第２のＵＥ７０４と第２のＵＥ７０４の近隣ＵＥである第３のＵＥ７０６とについての情報（例えば、ＩＤ、階層情報）を含む場合、第１のＵＥ７０２は、第２のＵＥ７０４を通じて第３のＵＥ７０６と通信しうる。１４１４において、以下に説明されるように、追加の方法の特徴が遂行されうる。
【００７６】
[0095]図１５Ａは、図１４のフローチャート１４００から展開した、ワイヤレス通信の方法のフローチャート１５００である。方法は、第１のＵＥ（例えば、ＵＥ４６４、装置１８０２／１８０２’）によって遂行されうる。１４１４において、方法の特徴は、図１３のフローチャート１３００から展開されうる。１５０２において、第１のＵＥは、発見メッセージ中に示された第２のＵＥと１ホップ近隣ＵＥとの階層情報に基づいて、フロアアービトレータＵＥとして第２のＵＥと第２のＵＥの１ホップ近隣ＵＥとのうちの１つを選択する。例えば、上記に論述されたように、ＵＥは、フロアアービトレータとして送信側ＵＥと送信側ＵＥの近隣ＵＥとのうちの１つを選択しうる。
【００７７】
[0096]１５０４において、第１のＵＥは、フロアアービトレータＵＥにフロア要求を送る。例えば、上記に論述されたように、ＵＥは、他のＵＥとのグループ通信についての許可を取得するために、フロアアービトレータにフロア要求を送りうる。例えば、図１２を参照すると、１２１２において、フロアを取得するために、ＵＥ−Ａは、ＵＥ−Ｃにフロア要求を送り、それにより、ＵＥ−Ｃは、１２１４においてＵＥ−Ａからのフロア要求をＵＥ−Ｄに中継するために中継機能を遂行しうる。１５０６において、第１のＵＥは、フロア要求に応答してフロアアービトレータＵＥからフロア応答を受信する。例えば、図１２を参照すると、１２１６において、ＵＥ−Ｄは、ＵＥ−Ｃにフロア要求の受け入れを示すフロア応答を送ることによってフロア要求に応答し、それは後に、１２１８においてＵＥ−Ａにフロア応答を中継する。１５０８において、第１のＵＥは、フロア応答に基づいて第２のＵＥの１ホップ近隣ＵＥのうちの１つまたは複数と第２のＵＥと通信する。例えば、図１２を参照すると、１２２６において、フロアを取得した後で、ＵＥ−Ａは、フロアに基づいてグループメンバとのグループ通信（例えば、媒体）を遂行する。ある態様では、フロアアービトレータＵＥは、階層情報に基づいて発見メッセージ中に示された、第２のＵＥと１ホップ近隣ＵＥとの中での最も高い階層値を有する。ある態様では、第３のＵＥがフロアアービトレータＵＥとして選択される場合、第２のＵＥは、第１のＵＥと第３のＵＥとの間でのフロア要求とフロア応答との通信のために中継器として動作する。例えば、図１２を参照すると、１２１２において、フロアを取得するために、ＵＥ−Ａは、ＵＥ−Ｃにフロア要求を送り、それにより、ＵＥ−Ｃは、１２１４においてＵＥ−Ａからのフロア要求をＵＥ−Ｄに中継するために中継機能を遂行しうる。例えば、図１２を参照すると、１２１６において、ＵＥ−Ｄは、ＵＥ−Ｃにフロア要求の受け入れを示すフロア応答を送ることによってフロア要求に応答し、それは後に、１２１８においてＵＥ−Ａにフロア応答を中継する。
【００７８】
[0097]１５１０において、第１のＵＥは、フロアアービトレータＵＥがもはや利用可能でないと決定しうる。１５１２において、第１のＵＥは、第２のＵＥと１ホップ近隣ＵＥとの階層情報に基づいて、後続のフロアアービトレータＵＥとして第２のＵＥと第２のＵＥの１ホップ近隣ＵＥとのうちの別のＵＥを選択しうる。例えば、上記に論述されたように、ＵＥ−Ｄが利用不可能になった場合、新しいフロアアービトレータが階層情報に基づいて（例えば、ＵＥ−Ａによって）決定される。ある態様では、後続のフロアアービトレータとしての第２のＵＥと第２のＵＥの１ホップ近隣ＵＥとのうちの別のＵＥは、フロア制御リストに基づいて後続のフロアアービトレータとして選択され、ここにおいて、フロア制御リストは、フロア制御プロシージャの状態を含む。例えば、上記に論述されたように、いくつかの他のＵＥは、フロアアービトレータが利用不可能になり（例えば、カバレッジを失うまたはドロップオフする）、新しいフロアアービトレータが割り当てられるべきであるケースでは、フロアアービトレータが有するフロア制御リストのコピーを有するために、このフロア制御リストを維持する。
【００７９】
[0098]図１５Ｂは、図１４のフローチャート１４００から展開した、ワイヤレス通信の方法のフローチャート１５５０である。方法は、第１のＵＥ（例えば、ＵＥ４６４、装置１８０２／１８０２’）によって遂行されうる。１４１４において、方法の特徴は、図１４のフローチャート１４００から展開されうる。ある態様では、発見メッセージはさらに、第２のＵＥの２ホップ近隣ＵＥを含む。例えば、上記に論述されたように、第２のＵＥ７０４によって生成される発見メッセージ中の一時ＩＤのサフィックス部分は加えて、第２のＵＥ８０４の２ホップ近隣ＵＥ（第２のＵＥの近隣ＵＥの近隣ＵＥ）のＩＤと階層情報とを含みうる。１５５２において、第１のＵＥは、発見メッセージに基づいて第４のＵＥと通信することを決定し、ここにおいて、第４のＵＥは、第２のＵＥの２ホップ近隣ＵＥのうちの１つであり、第３のＵＥの１ホップ近隣ＵＥである。１５５４において、第１のＵＥは、第１のＵＥと第４のＵＥとの間での通信のために中継器として動作することを第２のＵＥと第３のＵＥとに要求する。１５５６において、第１のＵＥは、第２のＵＥと第３のＵＥとを通じて第４のＵＥと通信する。例えば、上記に論述されたように、発見メッセージが第２のＵＥ７０４、第３のＵＥ７０６、および第４のＵＥ７０８についての情報（例えば、ＩＤ、階層情報）を含みうる場合、第１のＵＥ７０２は、第２のＵＥ７０４からの発見メッセージに基づいて、７３６において第２のＵＥ７０４と第３のＵＥ７０６とを通じて第４のＵＥ７０８と通信しうる。例えば、上記に論述されたように、第４のＵＥ７０８と通信するという決定に際して、第１のＵＥ７０２は、第４のＵＥ７０８との通信のために中継器として動作することを第２のＵＥ７０４と第３のＵＥ７０６とに要求しうる。
【００８０】
[0099]図１６は、本開示のある態様にしたがった、ワイヤレス通信の方法のフローチャート１６００である。方法は、ＵＥ（例えば、ＵＥ４６４、装置１８０２／１８０２’）によって遂行されうる。１６０２において、第１のＵＥは、第１のＵＥの１ホップ近隣ＵＥについての情報を含む発見メッセージを生成する。１６０４において、第１のＵＥは、第２のＵＥに発見メッセージを送信する。例えば、上記に論述されたように、第２のＵＥ７０４は、発見メッセージを生成し、第１のＵＥ７０２に発見メッセージを送りうる。
【００８１】
[00100]１６０６において、第１のＵＥは、第１のＵＥと第３のＵＥとの間での通信のために中継器として動作することを求める要求を第２のＵＥから受信し、第３のＵＥは、第１のＵＥの１ホップ近隣ＵＥのうちの１つである。例えば、上記に論述されたように、通信するというそのような決定に際して、第１のＵＥ７０２は、通信のために中継器として動作することを第２のＵＥ７０４に要求しうる。１６０８において、第１のＵＥは、要求に基づいて第１のＵＥと第３のＵＥとの間での通信のために中継機能を遂行する。例えば、上記に論述されたように、発見メッセージが第２のＵＥ７０４と第２のＵＥ７０４の近隣ＵＥである第３のＵＥ７０６とについての情報（例えば、ＩＤ、階層情報）を含む場合、第１のＵＥ７０２は、第２のＵＥ７０４を通じて第３のＵＥ７０６と通信しうる。
【００８２】
[00101]ある態様では、第１のＵＥは、発見メッセージ中に含まれているグループＩＤとグループキーＩＤとにハッシュ関数を適用することによって発見メッセージを符号化することによって発見メッセージを生成し、ここで、グループＩＤとグループキーＩＤとは、第１のＵＥと同じグループ中にあるＵＥに知られている。例えば、上記に論述されたように、ＵＥは、協定世界時（ＵＴＣ）ベースのカウンタ６５０に基づいて、プレフィックス部分６２０中のグループＩＤとグループキーＩＤとを符号化するために一方向性ハッシュ関数６４０を適用する。そのような態様では、発見メッセージは、プレフィックス部分とサフィックス部分とを含む一時ＩＤを含み、プレフィックス部分は、グループＩＤとグループキーＩＤとを含み、サフィックス部分は、第２のＵＥの１ホップ近隣ＵＥを示す少なくとも１つの識別子を含む。そのような態様では、グループＩＤは、レイヤ２グループＩＤであり、グループキーＩＤは、ＰＧＫ ＩＤである。そのような態様では、サフィックス部分はさらに、第１のＵＥのＩＤ、第１のＵＥの階層情報、および第１のＵＥの１ホップ近隣ＵＥの階層情報を含む。例えば、上記に論述されたように、ＵＥは、プレフィックス部分６２０とサフィックス部分６３０とを含む一時ＩＤ６１０を生成しうる。例えば、上記に論述されたように、プレフィックス部分６２０は、レイヤ２（Ｌ２）グループＩＤのようなグループＩＤとＰｒｏＳｅグループキーＩＤ（ＰＧＫ ＩＤ）のようなグループキーＩＤとを含みうる。例えば、上記に論述されたように、サフィックス部分６３０は、ＵＥ自身のＩＤ（例えば、Ｌ２ ＩＤ）、ＵＥ自身の階層、ＵＥの近隣ＵＥのＩＤ（例えば、Ｌ２ ＩＤ）、およびＵＥの近隣ＵＥの階層値を含む。
【００８３】
[00102]ある態様では、第１のＵＥは、１ホップ近隣ＵＥの階層または１ホップ近隣ＵＥの信号強度のうちの少なくとも１つに基づいて、発見メッセージ中に示されることになる１ホップ近隣ＵＥのうちの１つまたは複数を選択することと、１ホップ近隣ＵＥのうちの選択された１つまたは複数についての情報を含む発見メッセージを生成することとを行うことによって発見メッセージを生成する。例えば、上記に論述されたように、ＵＥは、ある特定の数の近隣ＵＥと発見メッセージ中に含まれることになるそれらの階層情報とを選択しえ、ここで、その選択は、近隣ＵＥの信号強度および／または近隣ＵＥの階層番号に基づく。
【００８４】
[00103]１６１０において、以下に説明されるように、追加の方法の特徴が遂行されうる。
【００８５】
[00104]図１７Ａは、図１６のフローチャート１６００から展開した、ワイヤレス通信の方法のフローチャート１７００である。方法は、第１のＵＥ（例えば、ＵＥ４６４、装置１８０２／１８０２’）によって遂行されうる。１６１０において、方法の特徴は、図１６のフローチャート１６００から展開されうる。１７０２において、第１のＵＥは、第１のＵＥの１ホップ近隣ＵＥの第２のセットについての情報を含む第２の発見メッセージを生成し、ここにおいて、第１のＵＥの１ホップ近隣ＵＥの第２のセットは、発見メッセージ中に示された第１のＵＥの１ホップ近隣ＵＥの第１のセットとは異なる。１７０４において、第１のＵＥは、第２のＵＥに第２の発見メッセージを送信する。例えば、上記に論述されたように、ＵＥは、異なる発見メッセージを送りえ、ここで、発見メッセージは、近隣ＵＥの異なるセットについての情報とそれらの階層情報とを含む。例えば、上記に論述されたように、第１の発見メッセージは、近隣ＵＥの第１のセットについての情報とそれらの階層情報とを含み、第２の発見メッセージは、近隣ＵＥの第２のセットについての情報とそれらの階層情報とを含みえ、ここで、第１のセットと第２のセットとは、近隣ＵＥ全体をカバーする。
【００８６】
[00105]図１７Ｂは、図１６のフローチャート１６００から展開した、ワイヤレス通信の方法のフローチャート１７５０である。方法は、第１のＵＥ（例えば、ＵＥ４６４、装置１８０２／１８０２’）によって遂行されうる。１６１０において、方法の特徴は、図１６のフローチャート１６００から展開されうる。１７５２において、第１のＵＥは、第１のＵＥの１ホップ近隣ＵＥについての情報を含むグループ通信メッセージを生成し、ここにおいて、グループ通信メッセージは、発見メッセージとリンクされる。１７５４において、第１のＵＥは、第２のＵＥにグループ通信メッセージを送信する。例えば、上記に論述されたように、ＵＥは、１つまたは複数の近隣ＵＥを示すためのグループ通信メッセージを生成しえ、ここで、このグループ通信は、発見メッセージとは別個である。例えば、上記に論述されたように、発見メッセージは、いつ／またはどこに（どの周波数帯域で）グループ通信メッセージが送られるかを示す情報を含みえ、それにより、発見メッセージを受信するＵＥは、グループ通信メッセージを絶えずリッスンする必要がない。
【００８７】
[00106]図１８は、例証的な装置１８０２中の異なる手段／コンポーネント間でのデータフローを例示する概念的なデータフロー図１８００である。装置は、ＵＥ（第１のＵＥ）でありうる。装置は、受信コンポーネント１８０４、送信コンポーネント１８０６、発見メッセージ管理コンポーネント１８０８、通信管理コンポーネント１８１０、およびフロア制御コンポーネント１８１２を含む。
【００８８】
[00107]第１のケースでは、第３のＵＥ（例えば、第３のＵＥ１８６０）は、第２のＵＥ（例えば、第２のＵＥ１８５０）の１ホップ近隣ＵＥであると見なされ、第１のＵＥ１８０２の２ホップ近隣ＵＥであると見なされる。第１のケースでは、発見メッセージ管理コンポーネント１８０８は、１８７２および１８７４において、第２のＵＥ１８５０から発見メッセージを受信コンポーネント１８０４を介して受信し、発見メッセージは、第２のＵＥ１８５０の１ホップ近隣ＵＥについての情報を含む。ある態様では、第１のＵＥは、第１のグループＩＤと第１のグループキーＩＤとを有しえ、発見メッセージは、第２のグループＩＤと第２のグループキーＩＤとを含む。発見メッセージ管理コンポーネント１８０８は、第１のグループＩＤと第１のグループキーＩＤとに基づいて発見メッセージを復号することを試みうる。発見管理コンポーネント１８０８は、第１のグループＩＤと第２のグループＩＤとが同じであり、且つ第１のグループキーＩＤと第２のグループキーＩＤとが同じであるときに、復号された発見メッセージに基づいて１ホップ近隣ＵＥを決定しうる。ある態様では、発見メッセージは、プレフィックス部分とサフィックス部分とを含む一時ＩＤを含み、プレフィックス部分は、第２のグループＩＤと第２のグループキーＩＤとを含み、サフィックス部分は、第２のＵＥの１ホップ近隣ＵＥを示す少なくとも１つの識別子を含む。ある態様では、第１のグループＩＤは、第１のレイヤ２グループＩＤであり、第１のグループキーＩＤは、第１のＰＧＫ ＩＤである。ある態様では、サフィックス部分はさらに、第２のＵＥのＩＤ、第２のＵＥの階層情報、および第２のＵＥの１ホップ近隣ＵＥの階層情報を含む。ある態様では、プレフィックス部分とサフィックス部分とは、ハッシュ関数、第２のグループＩＤ、および第２のグループキーＩＤに基づいて符号化される。
【００８９】
[00108]通信管理コンポーネント１８１０は、発見メッセージに基づいて第３のＵＥ１８６０と通信することを決定し、第３のＵＥ１８６０は、第２のＵＥ１８５０の１ホップ近隣ＵＥのうちの１つである。通信管理コンポーネント１８１０は、１８７８および１８８０において、第１のＵＥ１８０２と第３のＵＥ１８６０との間での通信のために中継器として動作することを、送信コンポーネント１８０６を介して第２のＵＥ１８５０に要求する。通信管理コンポーネント１８１０は、１８７８、１８８０、１８７２、および１８８２、ならびに１８５５において、受信コンポーネント１８０４と送信コンポーネント１８０６とを介して、第２のＵＥ１８５０を通じて第３のＵＥ１８６０と通信する。
【００９０】
[00109]ある態様では、発見メッセージはさらに、第２のＵＥの２ホップ近隣ＵＥを含む。通信管理コンポーネント１８１０は、発見メッセージに基づいて第４のＵＥ（図示せず）と通信することを決定し、ここで、第４のＵＥは、第２のＵＥ１８５０の２ホップ近隣ＵＥのうちの１つであり、第３のＵＥ１８６０の１ホップ近隣ＵＥである。通信管理コンポーネント１８１０は、第１のＵＥ１８０２と第４のＵＥとの間での通信のために中継器として動作することを、送信コンポーネント１８０６を介して第２のＵＥ１８５０と第３のＵＥ１８６０とに要求する。通信管理コンポーネント１８１０は、第２のＵＥと第３のＵＥ１８６０とを通じて第４のＵＥと通信する。
【００９１】
[00110]フロア制御コンポーネント１８１２は、１８８８において、発見メッセージ中に示された第２のＵＥ１８５０と１ホップ近隣ＵＥとの階層情報に基づいて、フロアアービトレータＵＥとして第２のＵＥ１８５０と第２のＵＥ１８５０の１ホップ近隣ＵＥとのうちの１つを選択する。フロア制御コンポーネント１８１２は、１８９０、１８７８において、および１８８０または１８８４において、フロアアービトレータＵＥにフロア要求を、通信管理コンポーネント１８１０と送信コンポーネント１８０６とを介して送る。１８０６において、フロア制御コンポーネント１８１２は、１８９２において、および１８７２または１８８６において、フロア要求に応答してフロアアービトレータＵＥからフロア応答を受信コンポーネント１８０４を介して受信する。通信管理コンポーネント１８１０は、１８９０、１８７２、１８８６、１８８２、１８７８、１８８０、および１８８４において、受信コンポーネント１８０４と送信コンポーネント１８０６とを介して、フロア応答に基づいて第２のＵＥ１８５０の１ホップ近隣ＵＥのうちの１つまたは複数と第２のＵＥ１８５０と通信する。ある態様では、フロアアービトレータＵＥは、階層情報に基づいて発見メッセージ中に示された、第２のＵＥ１８５０と１ホップ近隣ＵＥとの中での最も高い階層値を有する。ある態様では、第３のＵＥ１８６０がフロアアービトレータＵＥとして選択される場合、第２のＵＥ１８５０は、第１のＵＥ１８０２と第３のＵＥ１８６０との間でのフロア要求とフロア応答との通信のために中継器として動作する。
【００９２】
[00111]フロア制御コンポーネント１８１２は、１８９２において、受信コンポーネント１８０４を介して、フロアアービトレータＵＥがもはや利用可能でないと決定しうる。フロア制御コンポーネント１８１２は、１８８８において、第２のＵＥ１８５０と１ホップ近隣ＵＥとの階層情報に基づいて、後続のフロアアービトレータＵＥとして第２のＵＥ１８５０と第２のＵＥ１８５０の１ホップ近隣ＵＥとのうちの別のＵＥを選択しうる。ある態様では、後続のフロアアービトレータとしての第２のＵＥ１８５０と第２のＵＥ１８５０の１ホップ近隣ＵＥとのうちの別のＵＥは、フロア制御リストに基づいて後続のフロアアービトレータとして選択され、ここで、フロア制御リストは、フロア制御プロシージャの状態を含む。
【００９３】
[00112]第２のケースでは、第３のＵＥ１８６０は、第１のＵＥ１８０２の１ホップ近隣ＵＥであると見なされ、第２のＵＥ１８５０は、第１のＵＥ１８０２の１ホップ近隣ＵＥであると見なされる。第２のケースでは、発見メッセージ管理コンポーネント１８０８が、第１のＵＥ１８０２の１ホップ近隣ＵＥについての情報を含む発見メッセージを生成する。発見メッセージ管理コンポーネント１８０８は、１８９４において、通信管理コンポーネント１８１０に発見メッセージを転送しうる。通信管理コンポーネント１８１０は、１８７８および１８８０において、第２のＵＥ１８５０に発見メッセージを送信コンポーネント１８０６を介して送信する。通信管理コンポーネント１８１０は、１８７２および１８８２において、第１のＵＥ１８０２と第３のＵＥ１８６０との間での通信のために中継器として動作することを求める要求を第２のＵＥ１８５０から受信コンポーネント１８０４を介して受信し、第３のＵＥ１８６０は、第１のＵＥ１８０２の１ホップ近隣ＵＥのうちの１つである。通信管理コンポーネント１８１０は、１８７２、１８８０、１８８６、１８８４、１８８２、および１８７８において、要求に基づいて、第１のＵＥ１８０２と第３のＵＥ１８６０との間での通信のために、受信コンポーネント１８０４と送信コンポーネント１８０６とを介して、中継機能を遂行する。
【００９４】
[00113]ある態様では、発見メッセージ管理コンポーネント１８０８は、発見メッセージ中に含まれているグループＩＤとグループキーＩＤとにハッシュ関数を適用することによって発見メッセージを符号化することによって発見メッセージを生成し、ここで、グループＩＤとグループキーＩＤとは、第１のＵＥ１８０２と同じグループ中にあるＵＥに知られている。そのような態様では、発見メッセージは、プレフィックス部分とサフィックス部分とを含む一時ＩＤを含み、プレフィックス部分は、グループＩＤとグループキーＩＤとを含み、サフィックス部分は、第２のＵＥ１８５０の１ホップ近隣ＵＥを示す少なくとも１つの識別子を含む。そのような態様では、グループＩＤは、レイヤ２グループＩＤであり、グループキーＩＤは、ＰＧＫ ＩＤである。そのような態様では、サフィックス部分はさらに、第１のＵＥ１８０２のＩＤ、第１のＵＥ１８０２の階層情報、および第１のＵＥ１８０２の１ホップ近隣ＵＥの階層情報を含む。
【００９５】
[00114]ある態様では、発見メッセージ管理コンポーネント１８０８は、１ホップ近隣ＵＥの階層または１ホップ近隣ＵＥの信号強度のうちの少なくとも１つに基づいて、発見メッセージ中に示されることになる１ホップ近隣ＵＥのうちの１つまたは複数を選択することと、１ホップ近隣ＵＥのうちの選択された１つまたは複数についての情報を含む発見メッセージを生成することとを行うことによって発見メッセージを生成する。
【００９６】
[00115]ある態様では、発見メッセージ管理コンポーネント１８０８は、第１のＵＥ１８０２の１ホップ近隣ＵＥの第２のセットについての情報を含む第２の発見メッセージを生成し、ここで、第１のＵＥ１８０２の１ホップ近隣ＵＥの第２のセットは、発見メッセージ中に示された第１のＵＥ１８０２の１ホップ近隣ＵＥの第１のセットとは異なる。発見メッセージ管理コンポーネント１８０８は、１８９４において、通信管理コンポーネント１８１０に第２の発見メッセージを転送しうる。通信管理コンポーネント１８１０は、１８７８および１８８０において、第２のＵＥ１８５０に第２の発見メッセージを送信コンポーネント１８０６を介して送信する。
【００９７】
[00116]ある態様では、発見メッセージ管理コンポーネント１８０８は、第１のＵＥ１８０２の１ホップ近隣ＵＥについての情報を含むグループ通信メッセージを生成し、ここで、グループ通信メッセージは、発見メッセージとリンクされる。通信管理コンポーネント１８１０は、第２のＵＥ１８５０にグループ通信メッセージを送信コンポーネント１８０６を介して送信する。
【００９８】
[00117]装置は、図１４−１７の前述のフローチャート中のアルゴリズムのブロックの各々を遂行する追加のコンポーネントを含みうる。そのため、図１４−１７の前述のフローチャート中の各ブロックは、コンポーネントによって遂行され、装置は、それらのコンポーネントのうちの１つまたは複数を含みうる。コンポーネントは、記載されたプロセス／アルゴリズムを行うように特に構成された１つまたは複数のハードウェアコンポーネントでありうるか、記載されたプロセス／アルゴリズムを遂行するように構成されたプロセッサによってインプリメントされうるか、プロセッサによるインプリメンテーションのためにコンピュータ可読媒体内に記憶されうるか、またはそれらの何らかの組み合わせでありうる。
【００９９】
[00118]図１９は、処理システム１９１４を用いる装置１７０２’のためのハードウェアインプリメンテーションの例を例示する図１９００である。処理システム１９１４は、概してバス１９２４によって表される、バスアーキテクチャを用いてインプリメントされうる。バス１９２４は、処理システム１９１４の特定のアプリケーションおよび全体的な設計制約に依存して、任意の数の相互接続バスおよびブリッジを含みうる。バス１９２４は、プロセッサ１９０４、コンポーネント１８０４、１８０６、１８０８、１８１０、１８１２、およびコンピュータ可読媒体／メモリ１９０６によって表される、１つまたは複数のプロセッサおよび／またはハードウェアコンポーネントを含む様々な回路をともにリンクする。バス１９２４はまた、タイミングソース、周辺機器、電圧レギュレータ、および電力管理回路のような様々な他の回路をリンクしうるが、それらは、当該技術において良く知られており、したがって、これ以上は説明されない。
【０１００】
[00119]処理システム１９１４は、トランシーバ１９１０に結合されうる。トランシーバ１９１０は、１つまたは複数のアンテナ１９２０に結合される。トランシーバ１９１０は、送信媒体を通して様々な他の装置と通信するための手段を提供する。トランシーバ１９１０は、１つまたは複数のアンテナ１９２０から信号を受信し、受信された信号から情報を抽出し、抽出された情報を処理システム１９１４、具体的には受信コンポーネント１８０４に提供する。加えて、トランシーバ１９１０は、処理システム１９１４、具体的には送信コンポーネント１８０６から情報を受信し、受信された情報に基づいて、１つまたは複数のアンテナ１９２０に適用されることになる信号を生成する。処理システム１９１４は、コンピュータ可読媒体／メモリ１９０６に結合されたプロセッサ１９０４を含む。プロセッサ１９０４は、コンピュータ可読媒体／メモリ１９０６上に記憶されたソフトウェアの実行を含む一般の処理を担う。ソフトウェアは、プロセッサ１９０４によって実行されたとき、処理システム１９１４に、任意の特定の装置に関して上記に説明された様々な機能を遂行させる。コンピュータ可読媒体／メモリ１９０６はまた、ソフトウェアを実行するときにプロセッサ１９０４によって操作されるデータを記憶するために使用されうる。処理システム１９１４はさらに、コンポーネント１８０４、１８０６、１８０８、１８１０、１８１２のうちの少なくとも１つを含む。コンポーネントは、プロセッサ１９０４中で実行中であり、コンピュータ可読媒体／メモリ１９０６中に存在する／記憶されたソフトウェアコンポーネント、プロセッサ１９０４に結合された１つまたは複数のハードウェアコンポーネント、またはそれらの何らかの組み合わせでありうる。処理システム１９１４は、ＵＥ３５０のコンポーネントであり、メモリ３６０および／またはＴＸプロセッサ３６８、ＲＸプロセッサ３５６、およびコントローラ／プロセッサ３５９のうちの少なくとも１つを含みうる。
【０１０１】
[00120]一構成では、ワイヤレス通信のための装置１８０２／１８０２’は、第２のＵＥから発見メッセージを受信するための手段と、発見メッセージは、第２のＵＥの１ホップ近隣ＵＥについての情報を含み、発見メッセージに基づいて第３のＵＥと通信することを決定するための手段と、第３のＵＥは、第２のＵＥの１ホップ近隣ＵＥのうちの１つであり、第１のＵＥと第３のＵＥとの間での通信のために中継器として動作することを第２のＵＥに要求するための手段と、第２のＵＥを通じて第３のＵＥと通信するための手段とを含む。発見メッセージがさらに第２のＵＥの２ホップ近隣ＵＥを含む場合、装置１８０２／１８０２’はさらに、発見メッセージに基づいて第４のＵＥと通信することを決定するための手段と、ここで、第４のＵＥは、第２のＵＥの２ホップ近隣ＵＥのうちの１つであり、第３のＵＥの１ホップ近隣ＵＥであり、第１のＵＥと第４のＵＥとの間での通信のために中継器として動作することを第２のＵＥと第３のＵＥとに要求するための手段と、第２のＵＥと第３のＵＥとを通じて第４のＵＥと通信するための手段とを含む。第１のＵＥが第１のグループＩＤと第１のグループキーＩＤとを有し、発見メッセージが第２のグループＩＤと第２のグループキーＩＤとを含む場合、装置１８０２／１８０２’はさらに、第１のグループＩＤと第１のグループキーＩＤとに基づいて発見メッセージを復号することを試みるための手段と、第１のグループＩＤと第２のグループＩＤとが同じであり、且つ第１のグループキーＩＤと第２のグループキーＩＤとが同じであるときに、復号された発見メッセージに基づいて１ホップ近隣ＵＥを決定するための手段とを含む。装置１８０２／１８０２’はさらに、発見メッセージ中に示された第２のＵＥと１ホップ近隣ＵＥとの階層情報に基づいて、フロアアービトレータＵＥとして第２のＵＥと第２のＵＥの１ホップ近隣ＵＥとのうちの１つを選択するための手段と、フロアアービトレータＵＥにフロア要求を送るための手段と、フロア要求に応答してフロアアービトレータＵＥからフロア応答を受信するための手段と、フロア応答に基づいて第２のＵＥの１ホップ近隣ＵＥのうちの１つまたは複数と第２のＵＥと通信するための手段とを含む。装置１８０２／１８０２’はさらに、フロアアービトレータＵＥがもはや利用可能でないと決定するための手段と、第２のＵＥと１ホップ近隣ＵＥとの階層情報に基づいて、後続のフロアアービトレータＵＥとして第２のＵＥと第２のＵＥの１ホップ近隣ＵＥとのうちの別のＵＥを選択するための手段とを含む。
【０１０２】
[00121]別の構成では、ワイヤレス通信のための装置１８０２／１８０２’は、第１のＵＥの１ホップ近隣ＵＥについての情報を含む発見メッセージを生成するための手段と、第２のＵＥに発見メッセージを送信するための手段と、第１のＵＥと第３のＵＥとの間での通信のために中継器として動作することを求める要求を第２のＵＥから受信するための手段と、第３のＵＥは、第１のＵＥの１ホップ近隣ＵＥのうちの１つであり、要求に基づいて第１のＵＥと第３のＵＥとの間での通信のために中継機能を遂行するための手段とを含む。装置１８０２／１８０２’はさらに、第１のＵＥの１ホップ近隣ＵＥの第２のセットについての情報を含む第２の発見メッセージを生成するための手段と、ここで、第１のＵＥの１ホップ近隣ＵＥの第２のセットは、発見メッセージ中に示された第１のＵＥの１ホップ近隣ＵＥの第１のセットとは異なり、第２のＵＥに第２の発見メッセージを送信するための手段とを含む。装置１８０２／１８０２’はさらに、第１のＵＥの１ホップ近隣ＵＥについての情報を含むグループ通信メッセージを生成するための手段と、ここで、グループ通信メッセージは、発見メッセージとリンクされ、第２のＵＥにグループ通信メッセージを送信するための手段とを含む。
【０１０３】
[00122]前述された手段は、前述された手段によって記載された機能を遂行するように構成された装置１８０２’の処理システム１９１４および／または装置１８０２の前述されたコンポーネントのうちの１つまたは複数でありうる。上記に説明されたように、処理システム１９１４は、ＴＸプロセッサ３６８、ＲＸプロセッサ３５６、およびコントローラ／プロセッサ３５９を含みうる。そのため、一構成では、前述された手段は、前述された手段によって記載された機能を遂行するように構成されたＴＸプロセッサ３６８、ＲＸプロセッサ３５６、およびコントローラ／プロセッサ３５９でありうる。
【０１０４】
[00123]開示されたプロセス／フローチャートにおけるブロックの特定の順序または階層は例証的なアプローチの例示であるということが理解される。設計の選好に基づいて、プロセス／フローチャートにおけるブロックの特定の順序または階層は再配列されうるということが理解される。さらに、いくつかのブロックは、組み合わされうるか、または省略されうる。添付の方法の請求項は、サンプルの順序で様々なブロックの要素を提示しており、提示された特定の順序または階層に限定されるようには意図されない。
【０１０５】
[00124]先の説明は、いかなる当業者であっても、ここに説明された様々な態様を実施することを可能にするために提供される。これらの態様への様々な修正は、当業者にとって容易に明らかとなり、ここに定義された包括的な原理は、他の態様に適用されうる。このことから、特許請求の範囲は、ここに示された態様に限定されるように意図されてはいないが、特許請求の範囲の文言と一致する全範囲を付与されるべきであり、ここにおいて、単数形での要素への言及は、そうであると具体的に記載されない限り、「１つおよび１つのみ」を意味するようには意図されず、むしろ「１つまたは複数」を意味する。「例証的（exemplary）」という用語は、ここでは、「例、事例、または例示としての役割を果たすこと」を意味するように使用される。「例証的」であるとしてここに説明されたいずれの態様も、他の態様より好ましいまたは有利であるとして必ずしも解釈されるべきではない。そうでないと具体的に記載されない限り、「何らかの／いくつかの／いくらかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含みうる。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣでありえ、ここで、任意のそのような組み合わせは、Ａ、Ｂ、またはＣの１つまた複数のメンバを含みうる。当業者に知られているか、または後に知られることとなる、この開示全体を通じて説明された様々な態様の要素と構造的および機能的に同等な物は全て、参照によってここに明確に組み込まれ、特許請求の範囲によって包含されるように意図される。その上、ここに開示されたものはいずれも、そのような開示が特許請求の範囲中に明示的に記載されているかどうかにかかわらず、公に献呈されるようには意図されていない。「モジュール」、「メカニズム」、「要素」、「デバイス」、等の用語は、「手段」という用語の代用ではないことがありうる。そのため、要素が「〜のための手段」というフレーズを使用して明確に記載されていない限り、どの請求項の要素もミーンズプラスファンクションとして解釈されるべきではない。
以下に本願の出願当初の特許請求の範囲に記載された発明を付記する。
[Ｃ１]  第１のユーザ機器（ＵＥ）のワイヤレス通信の方法であって、
第２のＵＥから発見メッセージを受信することと、前記発見メッセージは、前記第２のＵＥの１ホップ近隣ＵＥについての情報を含む、
前記発見メッセージに基づいて第３のＵＥと通信することを決定することと、前記第３のＵＥは、前記第２のＵＥの前記１ホップ近隣ＵＥのうちの１つである、
前記第１のＵＥと前記第３のＵＥとの間での通信のために中継器として動作することを前記第２のＵＥに要求することと、
前記第２のＵＥを通じて前記第３のＵＥと通信することと
を備える、方法。
[Ｃ２]  前記発見メッセージは、前記第２のＵＥの２ホップ近隣ＵＥについての情報をさらに含み、前記方法は、
前記発見メッセージに基づいて第４のＵＥと通信することを決定することと、ここにおいて、前記第４のＵＥは、前記第２のＵＥの前記２ホップ近隣ＵＥのうちの１つであり、前記第３のＵＥの１ホップ近隣ＵＥである、
前記第１のＵＥと前記第４のＵＥとの間での通信のために中継器として動作することを前記第２のＵＥと前記第３のＵＥとに要求することと、
前記第２のＵＥと前記第３のＵＥとを通じて前記第４のＵＥと通信することと
をさらに備える、Ｃ１に記載の方法。
[Ｃ３]  前記第１のＵＥは、第１のグループ識別子（ＩＤ）と第１のグループキーＩＤとを有し、前記発見メッセージは、第２のグループＩＤと第２のグループキーＩＤとを含み、前記方法は、
前記第１のグループＩＤと前記第１のグループキーＩＤとに基づいて前記発見メッセージを復号することを試みることと、
前記第１のグループＩＤと前記第２のグループＩＤとが同じであり、且つ前記第１のグループキーＩＤと前記第２のグループキーＩＤとが同じであるときに、前記復号された発見メッセージに基づいて前記１ホップ近隣ＵＥを決定することと
をさらに備える、Ｃ１に記載の方法。
[Ｃ４]  前記発見メッセージは、プレフィックス部分とサフィックス部分とを含む一時識別子（ＩＤ）を含み、前記プレフィックス部分は、前記第２のグループＩＤと前記第２のグループキーＩＤとを含み、前記サフィックス部分は、前記第２のＵＥの前記１ホップ近隣ＵＥを示す少なくとも１つの識別子を含む、Ｃ３に記載の方法。
[Ｃ５]  前記第１のグループＩＤは、第１のレイヤ２グループＩＤであり、前記第１のグループキーＩＤは、第１の近接サービスグループキーＩＤ（ＰＧＫ ＩＤ）である、Ｃ４に記載の方法。
[Ｃ６]  前記サフィックス部分は、前記第２のＵＥのＩＤ、前記第２のＵＥの階層情報、および前記第２のＵＥの前記１ホップ近隣ＵＥの階層情報をさらに含む、Ｃ４に記載の方法。
[Ｃ７]  前記プレフィックス部分と前記サフィックス部分とは、ハッシュ関数、前記第２のグループＩＤ、および前記第２のグループキーＩＤに基づいて符号化される、Ｃ４に記載の方法。
[Ｃ８]  前記発見メッセージ中に示された前記第２のＵＥと前記１ホップ近隣ＵＥとの階層情報に基づいて、フロアアービトレータＵＥとして前記第２のＵＥと前記第２のＵＥの前記１ホップ近隣ＵＥとのうちの１つを選択することと、
前記フロアアービトレータＵＥにフロア要求を送ることと、
前記フロア要求に応答して前記フロアアービトレータＵＥからフロア応答を受信することと、
前記フロア応答に基づいて前記第２のＵＥの前記１ホップ近隣ＵＥのうちの１つまたは複数と前記第２のＵＥと通信することと
をさらに備える、Ｃ１に記載の方法。
[Ｃ９]  前記フロアアービトレータＵＥは、前記階層情報に基づいて前記発見メッセージ中に示された、前記第２のＵＥと前記１ホップ近隣ＵＥとの中での最も高い階層値を有する、Ｃ８に記載の方法。
[Ｃ１０]  前記第３のＵＥが前記フロアアービトレータＵＥとして選択される場合、前記第２のＵＥは、前記第１のＵＥと前記第３のＵＥとの間での前記フロア要求と前記フロア応答との通信のために中継器として動作する、Ｃ８に記載の方法。
[Ｃ１１]  前記フロアアービトレータＵＥがもはや利用可能でないと決定することと、
前記第２のＵＥと１ホップ近隣ＵＥとの前記階層情報に基づいて、後続のフロアアービトレータＵＥとして前記第２のＵＥと前記第２のＵＥの前記１ホップ近隣ＵＥとのうちの別のＵＥを選択することと
をさらに備える、Ｃ８に記載の方法。
[Ｃ１２]  後続のフロアアービトレータとしての前記第２のＵＥと前記第２のＵＥの前記１ホップ近隣ＵＥとのうちの前記別のＵＥは、フロア制御リストに基づいて前記後続のフロアアービトレータとして選択され、前記フロア制御リストは、フロア制御プロシージャの状態を含む、Ｃ１１に記載の方法。
[Ｃ１３]  第１のユーザ機器（ＵＥ）のためのワイヤレス通信の方法であって、
前記第１のＵＥの１ホップ近隣ＵＥについての情報を含む発見メッセージを生成することと、
第２のＵＥに前記発見メッセージを送信することと、
前記第１のＵＥと第３のＵＥとの間での通信のために中継器として動作することを求める要求を前記第２のＵＥから受信することと、前記第３のＵＥは、前記第１のＵＥの前記１ホップ近隣ＵＥのうちの１つである、
前記要求に基づいて前記第１のＵＥと前記第３のＵＥとの間での通信のために中継機能を遂行することと
を備える、方法。
[Ｃ１４]  前記発見メッセージを前記生成することは、
前記発見メッセージ中に含まれているグループ識別子（ＩＤ）とグループキーＩＤとにハッシュ関数を適用することによって前記発見メッセージを符号化すること
を備え、前記グループＩＤと前記グループキーＩＤとは、前記第１のＵＥと同じグループ中にあるＵＥに知られている、Ｃ１３に記載の方法。
[Ｃ１５]  前記発見メッセージは、プレフィックス部分とサフィックス部分とを含む一時識別子（ＩＤ）を含み、前記プレフィックス部分は、前記グループＩＤと前記グループキーＩＤとを含み、前記サフィックス部分は、前記第２のＵＥの前記１ホップ近隣ＵＥを示す少なくとも１つの識別子を含む、Ｃ１４に記載の方法。
[Ｃ１６]  前記グループＩＤは、レイヤ２グループＩＤであり、前記グループキーＩＤは、近接サービスグループキーＩＤ（ＰＧＫ ＩＤ）である、Ｃ１５に記載の方法。
[Ｃ１７]  前記サフィックス部分は、前記第１のＵＥのＩＤ、前記第１のＵＥの階層情報、および前記第１のＵＥの前記１ホップ近隣ＵＥの階層情報をさらに含む、Ｃ１５に記載の方法。
[Ｃ１８]  前記発見メッセージを前記生成することは、
前記１ホップ近隣ＵＥの階層または前記１ホップ近隣ＵＥの信号強度のうちの少なくとも１つに基づいて、前記発見メッセージ中に示されることになる前記１ホップ近隣ＵＥのうちの１つまたは複数を選択することと、
前記１ホップ近隣ＵＥのうちの前記選択された１つまたは複数についての情報を含む前記発見メッセージを生成することと
を備える、Ｃ１３に記載の方法。
[Ｃ１９]  前記第１のＵＥの１ホップ近隣ＵＥの第２のセットについての情報を含む第２の発見メッセージを生成することと、ここにおいて、前記第１のＵＥの前記１ホップ近隣ＵＥの前記第２のセットは、前記発見メッセージ中に示された前記第１のＵＥの前記１ホップ近隣ＵＥの第１のセットとは異なる、
前記第２のＵＥに前記第２の発見メッセージを送信することと
をさらに備える、Ｃ１３に記載の方法。
[Ｃ２０]  前記第１のＵＥの前記１ホップ近隣ＵＥについての情報を含むグループ通信メッセージを生成することと、ここにおいて、前記グループ通信メッセージは、前記発見メッセージとリンクされる、
前記第２のＵＥに前記グループ通信メッセージを送信することと
をさらに備える、Ｃ１３に記載の方法。
[Ｃ２１]  ワイヤレス通信のための装置であって、前記装置は、第１のユーザ機器（ＵＥ）であり、
メモリと、
前記メモリに結合され、
第２のＵＥから発見メッセージを受信することと、前記発見メッセージは、前記第２のＵＥの１ホップ近隣ＵＥについての情報を含む、
前記発見メッセージに基づいて第３のＵＥと通信することを決定することと、前記第３のＵＥは、前記第２のＵＥの前記１ホップ近隣ＵＥのうちの１つである、
前記第１のＵＥと前記第３のＵＥとの間での通信のために中継器として動作することを前記第２のＵＥに要求することと、
前記第２のＵＥを通じて前記第３のＵＥと通信することと
を行うように構成された少なくとも１つのプロセッサと
を備える、装置。
[Ｃ２２]  前記発見メッセージは、前記第２のＵＥの２ホップ近隣ＵＥについての情報をさらに含み、前記少なくとも１つのプロセッサは、
前記発見メッセージに基づいて第４のＵＥと通信することを決定することと、ここにおいて、前記第４のＵＥは、前記第２のＵＥの前記２ホップ近隣ＵＥのうちの１つであり、前記第３のＵＥの１ホップ近隣ＵＥである、
前記第１のＵＥと前記第４のＵＥとの間での通信のために中継器として動作することを前記第２のＵＥと前記第３のＵＥとに要求することと、
前記第２のＵＥと前記第３のＵＥとを通じて前記第４のＵＥと通信することと
を行うようにさらに構成される、Ｃ２１に記載の装置。
[Ｃ２３]  前記第１のＵＥは、第１のグループ識別子（ＩＤ）と第１のグループキーＩＤとを有し、前記発見メッセージは、第２のグループＩＤと第２のグループキーＩＤとを含み、前記前記少なくとも１つのプロセッサは、
前記第１のグループＩＤと前記第１のグループキーＩＤとに基づいて前記発見メッセージを復号することを試みることと、
前記第１のグループＩＤと前記第２のグループＩＤとが同じであり、且つ前記第１のグループキーＩＤと前記第２のグループキーＩＤとが同じであるときに、前記復号された発見メッセージに基づいて前記１ホップ近隣ＵＥを決定することと
を行うようにさらに構成される、Ｃ２１に記載の装置。
[Ｃ２４]  前記発見メッセージは、プレフィックス部分とサフィックス部分とを含む一時識別子（ＩＤ）を含み、前記プレフィックス部分は、前記第２のグループＩＤと前記第２のグループキーＩＤとを含み、前記サフィックス部分は、前記第２のＵＥの前記１ホップ近隣ＵＥを示す少なくとも１つの識別子を含む、Ｃ２３に記載の装置。
[Ｃ２５]  前記少なくとも１つのプロセッサは、
前記発見メッセージ中に示された前記第２のＵＥと前記１ホップ近隣ＵＥとの階層情報に基づいて、フロアアービトレータＵＥとして前記第２のＵＥと前記第２のＵＥの前記１ホップ近隣ＵＥとのうちの１つを選択することと、
前記フロアアービトレータＵＥにフロア要求を送ることと、
前記フロア要求に応答して前記フロアアービトレータＵＥからフロア応答を受信することと、
前記フロア応答に基づいて前記第２のＵＥの前記１ホップ近隣ＵＥのうちの１つまたは複数と前記第２のＵＥと通信することと
を行うようにさらに構成される、Ｃ２１に記載の装置。
[Ｃ２６]  前記フロアアービトレータＵＥは、前記階層情報に基づいて前記発見メッセージ中に示された、前記第２のＵＥと前記１ホップ近隣ＵＥとの中での最も高い階層値を有する、Ｃ２５に記載の装置。
[Ｃ２７]  前記第３のＵＥが前記フロアアービトレータＵＥとして選択される場合、前記第２のＵＥは、前記第１のＵＥと前記第３のＵＥとの間での前記フロア要求と前記フロア応答との通信のために中継器として動作する、Ｃ２５に記載の装置。
[Ｃ２８]  前記少なくとも１つのプロセッサは、
前記フロアアービトレータＵＥがもはや利用可能でないと決定することと、
前記第２のＵＥと１ホップ近隣ＵＥとの前記階層情報に基づいて、後続のフロアアービトレータＵＥとして前記第２のＵＥと前記第２のＵＥの前記１ホップ近隣ＵＥとのうちの別のＵＥを選択することと
を行うようにさらに構成される、Ｃ２５に記載の装置。
[Ｃ２９]  後続のフロアアービトレータとしての前記第２のＵＥと前記第２のＵＥの前記１ホップ近隣ＵＥとのうちの前記別のＵＥは、フロア制御リストに基づいて前記後続のフロアアービトレータとして選択され、前記フロア制御リストは、フロア制御プロシージャの状態を含む、Ｃ２８に記載の装置。
[Ｃ３０]  ワイヤレス通信のための装置であって、前記装置は、第１のユーザ機器（ＵＥ）であり、
メモリと、
前記メモリに結合され、
前記第１のＵＥの１ホップ近隣ＵＥについての情報を含む発見メッセージを生成することと、
第２のＵＥに前記発見メッセージを送信することと、
前記第１のＵＥと第３のＵＥとの間での通信のために中継器として動作することを求める要求を前記第２のＵＥから受信することと、前記第３のＵＥは、前記第１のＵＥの前記１ホップ近隣ＵＥのうちの１つである、
前記要求に基づいて前記第１のＵＥと前記第３のＵＥとの間での通信のために中継機能を遂行することと
を行うように構成された少なくとも１つのプロセッサと
を備える、装置。
【図１】
0006672328.tif 000003
【図２Ａ】
0006672328.tif 000004
【図２Ｂ】
0006672328.tif 000005
【図２Ｃ】
0006672328.tif 000006
【図２Ｄ】
0006672328.tif 000007
【図３】
0006672328.tif 000008
【図４】
0006672328.tif 000009
【図５】
0006672328.tif 000010
【図６】
0006672328.tif 000011
【図７】
0006672328.tif 000012
【図８Ａ】
0006672328.tif 000013
【図８Ｂ】
0006672328.tif 000014
【図８Ｃ】
0006672328.tif 000015
【図９Ａ】
0006672328.tif 000016
【図９Ｂ】
0006672328.tif 000017
【図９Ｃ】
0006672328.tif 000018
【図１０Ａ】
0006672328.tif 000019
【図１０Ｂ】
0006672328.tif 000020
【図１０Ｃ】
0006672328.tif 000021
【図１１】
0006672328.tif 000022
【図１２】
0006672328.tif 000023
【図１３】
0006672328.tif 000024
【図１４】
0006672328.tif 000025
【図１５Ａ】
0006672328.tif 000026
【図１５Ｂ】
0006672328.tif 000027
【図１６】
0006672328.tif 000028
【図１７Ａ】
0006672328.tif 000029
【図１７Ｂ】
0006672328.tif 000030
【図１８】
0006672328.tif 000031
【図１９】
0006672328.tif 000032